(57)【要約】  本開示の実施例は、ビーム失敗に対する設定方法及び端末を提供し、該方法は、セル、セルグループ又はキャリアグループの状態変化を通知するための通知シグナリングを受信することと、前記セル、前記セルグループ又は前記キャリアグループの状態変化に基づいて、カウンタ及びタイマの少なくとも一方を設定し、及び／又は、前記セル、前記セルグループ又は前記キャリアグループの状態変化に基づいて、ビーム失敗回復プロセスで、特定の操作を停止することとを含み、ここで、前記カウンタ及びタイマは、前記端末が前記セル、前記セルグループ内のセル、又は前記キャリアグループ内のセルに対して設定した、ビーム失敗を検出するカウンタ及びタイマである。
2021520096.tif 000002
【特許請求の範囲】
【請求項１】
端末に適用されるビーム失敗に対する設定方法であって、
セル、セルグループ又はキャリアグループの状態変化を通知するための通知シグナリングを受信することと、
前記セル、前記セルグループ又は前記キャリアグループの状態変化に基づいて、カウンタ及びタイマの少なくとも一方を設定し、及び／又は、前記セル、前記セルグループ又は前記キャリアグループの状態変化に基づいて、ビーム失敗回復プロセスで、特定の操作を停止することとを含み、
ここで、前記カウンタ及びタイマは、前記端末が前記セル、前記セルグループ内のセル、又は前記キャリアグループ内のセルに対して設定した、ビーム失敗を検出するカウンタ及びタイマである、ビーム失敗に対する設定方法。
【請求項２】
前記セルの状態変化は、前記セルがアクティブ化されたこと、前記セルが非アクティブ化されたこと、前記セルが再アクティブ化されたこと、又は前記セルが変換されたことを含み、
前記セルグループの状態変化は、前記セルグループがアクティブ化されたこと、前記セルグループが設定されたこと、前記セルグループが再設定されたこと、又は前記セルグループが変換されたことを含み、
前記キャリアグループの状態変化は、前記キャリアグループがアクティブ化されたこと、前記キャリアグループが非アクティブ化されたこと、前記キャリアグループが再アクティブ化されたこと、又は前記キャリアグループが変換されたことを含み、
ここで、前記セルは、ＳＣｅｌｌ（Ｓｅｃｏｎｄａｒｙ  Ｃｅｌｌ）及びプライマリセルの少なくとも一方を含み、前記セルグループは、ＳＣＧ（Ｓｅｃｏｎｄａｒｙ  Ｃｅｌｌ  Ｇｒｏｕｐ）及びＭＣＧ（Ｍａｓｔｅｒ  Ｃｅｌｌ  Ｇｒｏｕｐ）の少なくとも一方である、請求項１に記載の方法。
【請求項３】
前記端末は、前記ＳＣｅｌｌに対してカウンタ及びタイマを設定し、前記プライマリセルに対してカウンタ及びタイマを設定し、
前記カウンタ及びタイマの少なくとも一方を設定することは、
前記ＳＣｅｌｌがアクティブ化、非アクティブ化又は再アクティブ化されると、前記端末によって前記ＳＣｅｌｌに対して設定されたカウンタ及びタイマの少なくとも一方をリセットするか、又は前記端末によって前記ＳＣｅｌｌに対して設定されたカウンタ及びタイマの少なくとも一方を継続して動作させること、
前記プライマリセルが再設定又は変換されると、前記端末によって前記プライマリセルに対して設定されたカウンタ及びタイマの少なくとも一方をリセットするか、又は前記端末によって前記プライマリセルに対して設定されたカウンタ及びタイマの少なくとも一方を継続して動作させること、
前記プライマリセルが再設定又は変換されると、前記端末によって前記ＳＣｅｌｌに対して設定されたカウンタ及びタイマの少なくとも一方をリセットするか、又は前記端末によって前記ＳＣｅｌｌに対して設定されたカウンタ及びタイマの少なくとも一方を継続して動作させること、
前記ＳＣＧがアクティブ化、設定又は再設定されると、前記端末によって前記ＳＣＧ内の少なくとも１つのセルに対して設定されたカウンタ及びタイマの少なくとも一方をリセットするか、又は前記端末によって前記ＳＣＧ内の少なくとも１つのセルに対して設定されたカウンタ及びタイマの少なくとも一方を継続して動作させること、
前記ＭＣＧが再設定又は変換されると、前記端末によって前記ＭＣＧ内の少なくとも１つのセルに対して設定されたカウンタ及びタイマの少なくとも一方をリセットするか、又は前記端末によって前記ＭＣＧ内の少なくとも１つのセルに対して設定されたカウンタ及びタイマの少なくとも一方を継続して動作させること、及び
前記ＭＣＧが再設定又は変換されると、前記端末によって前記ＳＣＧ内の少なくとも１つのセルに対して設定されたカウンタ及びタイマの少なくとも一方をリセットするか、又は前記端末によって前記ＳＣＧ内の少なくとも１つのセルに対して設定されたカウンタ及びタイマの少なくとも一方を継続して動作させることのうちの少なくとも１つを含む、請求項２に記載の方法。
【請求項４】
前記端末は、前記ＳＣｅｌｌ及び前記プライマリセルに対して共通のカウンタ及びタイマを設定し、
前記カウンタ及びタイマの少なくとも一方を設定することは、
前記ＳＣｅｌｌがアクティブ化、非アクティブ化又は再アクティブ化されると、前記カウンタ及びタイマの少なくとも一方をリセットするか又は継続して動作させること、及び
前記プライマリセルが再設定又は変換されると、前記カウンタ及びタイマの少なくとも一方をリセットするか又は継続して動作させることのうちの少なくとも１つを含み、
或いは
前記ＳＣＧがアクティブ化、設定又は再設定されると、前記端末によって前記ＳＣＧ内の少なくとも１つのセルに対して設定されたカウンタ及びタイマの少なくとも一方をリセットし、及び／又は、前記端末によって前記ＳＣＧ内の少なくとも１つのセルに対して設定されたカウンタ及びタイマの少なくとも一方を継続して動作させること、及び
前記ＭＣＧが再設定又は変換されると、前記端末によって前記ＳＣＧ内の少なくとも１つのセルに対して設定されたカウンタ及びタイマの少なくとも一方をリセットし、及び／又は、前記端末によって前記ＳＣＧ内の少なくとも１つのセルに対して設定されたカウンタ及びタイマの少なくとも一方を継続して動作させることのうちの少なくとも１つを含む、請求項２に記載の方法。
【請求項５】
前記セルは、複数のＳＣｅｌｌを含み、前記端末は、前記複数のＳＣｅｌｌに対して共通のカウンタ及びタイマを設定し、
前記カウンタ及びタイマの少なくとも一方を設定することは、
前記複数のＳＣｅｌｌのうちの少なくとも１つのＳＣｅｌｌがアクティブ化、非アクティブ化又は再アクティブ化されると、前記カウンタ及びタイマの少なくとも一方をリセットするか又は継続して動作させること、
前記ＳＣＧがアクティブ化、設定又は再設定されると、前記端末によって前記ＳＣＧ内の少なくとも１つのセルに対して設定されたカウンタ及びタイマの少なくとも一方をリセットし、及び／又は、前記端末によって前記ＳＣＧ内の少なくとも１つのセルに対して設定されたカウンタ及びタイマの少なくとも一方を継続して動作させること、及び
前記ＭＣＧが再設定又は変換されると、前記端末によって前記ＳＣＧ内の少なくとも１つのセルに対して設定されたカウンタ及びタイマの少なくとも一方をリセットし、及び／又は、前記端末によって前記ＳＣＧ内の少なくとも１つのセルに対して設定されたカウンタ及びタイマの少なくとも一方を継続して動作させることのうちの少なくとも１つを含む、請求項２に記載の方法。
【請求項６】
前記特定の操作を停止することは、
前記ＳＣｅｌｌでスクランブルされたＰＤＣＣＨ（Ｐｈｙｓｉｃａｌ  Ｄｏｗｎｌｉｎｋ  Ｃｏｎｔｒｏｌ  Ｃｈａｎｎｅｌ）を傍受することを停止すること、
前記プライマリセルでスクランブルされたＰＤＣＣＨを傍受することを停止すること、及び
ビーム失敗回復のためのランダムアクセスプロセスを停止することのうちの少なくとも１つを含む、請求項２に記載の方法。
【請求項７】
前記ＳＣｅｌｌでスクランブルされたＰＤＣＣＨを傍受することを停止することは、
前記ビーム失敗回復プロセスが前記セルに含まれる複数のＳＣｅｌｌのうちの少なくとも１つのＳＣｅｌｌで行われると、１つ以上のＳＣｅｌｌでスクランブルされたＰＤＣＣＨを傍受することを停止することを含み、
前記ビーム失敗回復のためのランダムアクセスプロセスを停止することは、
前記ビーム失敗回復プロセスが前記ＳＣｅｌｌで行われると、前記ＳＣｅｌｌでのビーム失敗回復のためのランダムアクセスプロセスを停止すること、又は
前記ビーム失敗回復プロセスが前記プライマリセルで行われると、前記プライマリセルでのビーム失敗回復のためのランダムアクセスプロセスを停止すること、又は
前記ビーム失敗回復プロセスがそれぞれ前記ＳＣｅｌｌ及び前記プライマリセルで行われると、前記ＳＣｅｌｌ及び前記プライマリセルでのビーム失敗回復のためのランダムアクセスプロセスを停止することを含む、請求項６に記載の方法。
【請求項８】
前記ＳＣｅｌｌ及び前記プライマリセルでのビーム失敗回復のためのランダムアクセスプロセスを停止することは、
前記ＳＣｅｌｌでプリアンブルを送信することを停止すること、
前記プライマリセルでプリアンブルを送信することを停止すること、
前記ＳＣｅｌｌでランダムアクセスプロセスのメッセージｍｓｇ２を傍受することを停止すること、
前記プライマリセルでランダムアクセスプロセスのｍｓｇ２を傍受することを停止すること、
前記ＳＣｅｌｌでランダムアクセスプロセスのｍｓｇ３を送信することを停止すること、
前記プライマリセルでランダムアクセスプロセスのｍｓｇ３を送信することを停止すること、
前記ＳＣｅｌｌでランダムアクセスプロセスのｍｓｇ４を傍受することを停止すること、及び
前記プライマリセルでランダムアクセスプロセスのｍｓｇ４を傍受することを停止することのうちの少なくとも１つを含む、請求項７に記載の方法。
【請求項９】
前記ＳＣｅｌｌでスクランブルされたＰＤＣＣＨは、
前記ＳＣｅｌｌでＣ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ）によりスクランブルされたＰＤＣＣＨを含み、
前記プライマリセルでスクランブルされたＰＤＣＣＨは、
前記プライマリセルでＣ−ＲＮＴＩによりスクランブルされたＰＤＣＣＨを含む、請求項６に記載の方法。
【請求項１０】
前記プライマリセルは、ＰＣｅｌｌ（Ｐｒｉｍａｒｙ  Ｃｅｌｌ）、前記ＭＣＧ内のＰＣｅｌｌ、前記ＳＣＧ内のＰＳＣｅｌｌ（Ｐｒｉｍａｒｙ  Ｓｅｃｏｎｄａｒｙ  Ｃｅｌｌ）及びＳｐＣｅｌｌ（Ｓｐｅｃｉａｌ  Ｃｅｌｌ）のうちの少なくとも一方を含む、請求項２に記載の方法。
【請求項１１】
端末であって、
セル、セルグループ又はキャリアグループの状態変化を通知するための通知シグナリングを受信する受信モジュールと、
前記セル、前記セルグループ又は前記キャリアグループの状態変化に基づいて、カウンタ及びタイマの少なくとも一方を設定し、及び／又は、前記セル、前記セルグループ又は前記キャリアグループの状態変化に基づいて、ビーム失敗回復プロセスで、特定の操作を停止する処理モジュールとを含み、
ここで、前記カウンタ及びタイマは、前記端末が前記セル、前記セルグループ内のセル、又は前記キャリアグループ内のセルに対して設定した、ビーム失敗を検出するカウンタ及びタイマである、端末。
【請求項１２】
前記セルの状態変化は、前記セルがアクティブ化されたこと、前記セルが非アクティブ化されたこと、前記セルが再アクティブ化されたこと、又は前記セルが変換されたことを含み、
前記セルグループの状態変化は、前記セルグループがアクティブ化されたこと、前記セルグループが設定されたこと、前記セルグループが再設定されたこと、又は前記セルグループが変換されたことを含み、
前記キャリアグループの状態変化は、前記キャリアグループがアクティブ化されたこと、前記キャリアグループが非アクティブ化されたこと、前記キャリアグループが再アクティブ化されたこと、又は前記キャリアグループが変換されたことを含み、
前記セルは、ＳＣｅｌｌ及びプライマリセルの少なくとも一方を含み、前記セルグループは、ＳＣＧ及びＭＣＧの少なくとも一方である、請求項１１に記載の端末。
【請求項１３】
前記端末は、前記ＳＣｅｌｌに対してカウンタ及びタイマを設定し、前記プライマリセルに対してカウンタ及びタイマを設定し、
前記カウンタ及びタイマの少なくとも一方を設定することは、
前記ＳＣｅｌｌがアクティブ化、非アクティブ化又は再アクティブ化されると、前記端末によって前記ＳＣｅｌｌに対して設定されたカウンタ及びタイマの少なくとも一方をリセットするか、又は前記端末によって前記ＳＣｅｌｌに対して設定されたカウンタ及びタイマの少なくとも一方を継続して動作させること、
前記プライマリセルが再設定又は変換されると、前記端末によって前記プライマリセルに対して設定されたカウンタ及びタイマの少なくとも一方をリセットするか、又は前記端末によって前記プライマリセルに対して設定されたカウンタ及びタイマの少なくとも一方を継続して動作させること、
前記プライマリセルが再設定又は変換されると、前記端末によって前記ＳＣｅｌｌに対して設定されたカウンタ及びタイマの少なくとも一方をリセットするか、又は前記端末によって前記ＳＣｅｌｌに対して設定されたカウンタ及びタイマの少なくとも一方を継続して動作させること、
前記ＳＣＧがアクティブ化、設定又は再設定されると、前記端末によって前記ＳＣＧ内の少なくとも１つのセルに対して設定されたカウンタ及びタイマの少なくとも一方をリセットするか、又は前記端末によって前記ＳＣＧ内の少なくとも１つのセルに対して設定されたカウンタ及びタイマの少なくとも一方を継続して動作させること、
前記ＭＣＧが再設定又は変換されると、前記端末によって前記ＭＣＧ内の少なくとも１つのセルに対して設定されたカウンタ及びタイマの少なくとも一方をリセットするか、又は前記端末によって前記ＭＣＧ内の少なくとも１つのセルに対して設定されたカウンタ及びタイマの少なくとも一方を継続して動作させること、及び
前記ＭＣＧが再設定又は変換されると、前記端末によって前記ＳＣＧ内の少なくとも１つのセルに対して設定されたカウンタ及びタイマの少なくとも一方をリセットするか、又は前記端末によって前記ＳＣＧ内の少なくとも１つのセルに対して設定されたカウンタ及びタイマの少なくとも一方を継続して動作させることのうちの少なくとも１つを含む、請求項１２に記載の端末。
【請求項１４】
前記端末は、前記ＳＣｅｌｌ及び前記プライマリセルに対して共通のカウンタ及びタイマを設定し、
前記カウンタ及びタイマの少なくとも一方を設定することは、
前記ＳＣｅｌｌがアクティブ化、非アクティブ化又は再アクティブ化されると、前記カウンタ及びタイマの少なくとも一方をリセットするか又は継続して動作させること、及び
前記プライマリセルが再設定又は変換されると、前記カウンタ及びタイマの少なくとも一方をリセットするか又は継続して動作させることのうちの少なくとも１つを含み、
或いは
前記ＳＣＧがアクティブ化、設定又は再設定されると、前記端末によって前記ＳＣＧ内の少なくとも１つのセルに対して設定されたカウンタ及びタイマの少なくとも一方をリセットし、及び／又は、前記端末によって前記ＳＣＧ内の少なくとも１つのセルに対して設定されたカウンタ及びタイマの少なくとも一方を継続して動作させること、及び
前記ＭＣＧが再設定又は変換されると、前記端末によって前記ＳＣＧ内の少なくとも１つのセルに対して設定されたカウンタ及びタイマの少なくとも一方をリセットし、及び／又は、前記端末によって前記ＳＣＧ内の少なくとも１つのセルに対して設定されたカウンタ及びタイマの少なくとも一方を継続して動作させることのうちの少なくとも１つを含む、請求項１２に記載の端末。
【請求項１５】
前記セルは、複数のＳＣｅｌｌを含み、前記端末は、前記複数のＳＣｅｌｌに対して共通のカウンタ及びタイマを設定し、
前記カウンタ及びタイマの少なくとも一方を設定することは、
前記複数のＳＣｅｌｌのうちの少なくとも１つのＳＣｅｌｌがアクティブ化、非アクティブ化又は再アクティブ化されると、前記カウンタ及びタイマの少なくとも一方をリセットするか又は継続して動作させること、
前記ＳＣＧがアクティブ化、設定又は再設定されると、前記端末によって前記ＳＣＧ内の少なくとも１つのセルに対して設定されたカウンタ及びタイマの少なくとも一方をリセットし、及び／又は、前記端末によって前記ＳＣＧ内の少なくとも１つのセルに対して設定されたカウンタ及びタイマの少なくとも一方を継続して動作させること、及び
前記ＭＣＧが再設定又は変換されると、前記端末によって前記ＳＣＧ内の少なくとも１つのセルに対して設定されたカウンタ及びタイマの少なくとも一方をリセットし、及び／又は、前記端末によって前記ＳＣＧ内の少なくとも１つのセルに対して設定されたカウンタ及びタイマの少なくとも一方を継続して動作させることのうちの少なくとも１つを含む、請求項１２に記載の端末。
【請求項１６】
前記特定の操作を停止することは、
前記ＳＣｅｌｌでスクランブルされたＰＤＣＣＨを傍受することを停止すること、
前記プライマリセルでスクランブルされたＰＤＣＣＨを傍受することを停止すること、及び
ビーム失敗回復のためのランダムアクセスプロセスを停止することのうちの少なくとも１つを含む、請求項１２に記載の端末。
【請求項１７】
前記ＳＣｅｌｌでスクランブルされたＰＤＣＣＨを傍受することを停止することは、
前記ビーム失敗回復プロセスが前記セルに含まれる複数のＳＣｅｌｌのうちの少なくとも１つのＳＣｅｌｌで行われると、１つ以上のＳＣｅｌｌでスクランブルされたＰＤＣＣＨを傍受することを停止することを含み、
前記ビーム失敗回復のためのランダムアクセスプロセスを停止することは、
前記ビーム失敗回復プロセスが前記ＳＣｅｌｌで行われると、前記ＳＣｅｌｌでのビーム失敗回復のためのランダムアクセスプロセスを停止すること、又は
前記ビーム失敗回復プロセスが前記プライマリセルで行われると、前記プライマリセルでのビーム失敗回復のためのランダムアクセスプロセスを停止すること、又は
前記ビーム失敗回復プロセスがそれぞれ前記ＳＣｅｌｌ及び前記プライマリセルで行われると、前記ＳＣｅｌｌ及び前記プライマリセルでのビーム失敗回復のためのランダムアクセスプロセスを停止することを含む、請求項１６に記載の端末。
【請求項１８】
前記ＳＣｅｌｌ及び前記プライマリセルでのビーム失敗回復のためのランダムアクセスプロセスを停止することは、
前記ＳＣｅｌｌでプリアンブルを送信することを停止すること、
前記プライマリセルでプリアンブルを送信することを停止すること、
前記ＳＣｅｌｌでランダムアクセスプロセスのｍｓｇ２を傍受することを停止すること、
前記プライマリセルでランダムアクセスプロセスのｍｓｇ２を傍受することを停止すること、
前記ＳＣｅｌｌでランダムアクセスプロセスのｍｓｇ３を送信することを停止すること、
前記プライマリセルでランダムアクセスプロセスのｍｓｇ３を送信することを停止すること、
前記ＳＣｅｌｌでランダムアクセスプロセスのｍｓｇ４を傍受することを停止すること、及び
前記プライマリセルでランダムアクセスプロセスのｍｓｇ４を傍受することを停止することのうちの少なくとも１つを含む、請求項１７に記載の端末。
【請求項１９】
前記ＳＣｅｌｌでスクランブルされたＰＤＣＣＨは、
前記ＳＣｅｌｌでＣ−ＲＮＴＩによりスクランブルされたＰＤＣＣＨを含み、
前記プライマリセルでスクランブルされたＰＤＣＣＨは、
前記プライマリセルでＣ−ＲＮＴＩによりスクランブルされたＰＤＣＣＨを含む、請求項１６に記載の端末。
【請求項２０】
前記プライマリセルは、ＰＣｅｌｌ、前記ＭＣＧ内のＰＣｅｌｌ、前記ＳＣＧ内のＰＳＣｅｌｌ及びＳｐＣｅｌｌのうちの少なくとも一方を含む、請求項１２に記載の端末。
【請求項２１】
メモリと、プロセッサと、前記メモリに記憶され前記プロセッサ上で実行でき、前記プロセッサにより実行されると、請求項１〜１０のいずれか１項に記載のビーム失敗に対する設定方法を実現するコンピュータプログラムと、を含む端末。
【請求項２２】
プロセッサにより実行されると、請求項１〜１０のいずれか１項に記載のビーム失敗に対する設定方法を実現するコンピュータプログラムが記憶されている、コンピュータ可読記憶媒体。
【発明の詳細な説明】
【技術分野】
【０００１】
本願は、２０１８年３月２８日に提出された中国特許出願第２０１８１０２６６１８１．０号の優先権を主張するものであり、その全ての内容は参照により本願に組み込まれるものとする。
本開示は、通信の技術分野に関し、特に、ビーム失敗に対する設定方法及び端末に関する。
【背景技術】
【０００２】
第５世代（５ｔｈ  ｇｅｎｅｒａｔｉｏｎ、５Ｇ）通信システムでは、リンクの脆弱性により、高周波通信中にビーム失敗が生じる場合がある。現在、ビーム失敗の検出は、カウンタ及びタイマの少なくとも一方によりビーム失敗インスタンス（ｂｅａｍ  ｆａｉｌｕｒｅ  ｉｎｓｔａｎｃｅ）をカウントして、ビーム失敗の検出を実現することである。また、ＣＡ（Ｃａｒｒｉｅｒ  Ａｇｇｒｅｇａｔｉｏｎ、）シーンでは、端末が接続されているセルは、ＰＣｅｌｌ（Ｐｒｉｍａｒｙ  Ｃｅｌｌ）及びＳＣｅｌｌ（Ｓｅｃｏｎｄａｒｙ  Ｃｅｌｌ）を含んでよい。或いは、５Ｇ通信システムに新たに導入されているＤＣ（Ｄｕａｌ  Ｃｏｎｎｅｃｔｉｖｉｔｙ）アーキテクチャは、ＭＣＧ（Ｍａｓｔｅｒ  Ｃｅｌｌ  Ｇｒｏｕｐ）及びＳＣＧ（Ｓｅｃｏｎｄａｒｙ  Ｃｅｌｌ  Ｇｒｏｕｐ）という２つのセルグループを含んでよく、ＭＣＧは、１つのＰＣｅｌｌ及び１つ以上のＳＣｅｌｌを含んでよく、ＳＣＧは、１つのＰＳＣｅｌｌ（Ｐｒｉｍａｒｙ  Ｓｅｃｏｎｄａｒｙ  Ｃｅｌｌ）及び１つ以上のＳＣｅｌｌを含んでよく、ＰＣｅｌｌとＰＳＣｅｌｌは、いずれもＳｐＣｅｌｌ（Ｓｐｅｃｉａｌ  Ｃｅｌｌ）と呼ばれてよい。しかしながら、現在のビーム失敗検出又はビーム失敗回復プロセスにおいて、ＳＣｅｌｌの非アクティブ化又は再アクティブ化、又はＳＣＧの再設定などの、セル、セルグループ又はキャリアグループの状態変化がいずれも考慮されていない。その結果、端末のビーム失敗検出又はビーム失敗回復の性能が低い。
【発明の概要】
【発明が解決しようとする課題】
【０００３】
本発明の実施例は、端末のビーム失敗検出又はビーム失敗回復の性能が低いという課題を解決するために、ビーム失敗に対する設定方法及び端末を提供する。
【課題を解決するための手段】
【０００４】
上記技術的課題を解決するために、本開示は、以下のように実現される。端末に適用されるビーム失敗に対する設定方法は、
セル、セルグループ又はキャリアグループの状態変化を通知するための通知シグナリングを受信することと、
前記セル、前記セルグループ又は前記キャリアグループの状態変化に基づいて、カウンタ及びタイマの少なくとも一方を設定し、及び／又は、前記セル、前記セルグループ又は前記キャリアグループの状態変化に基づいて、ビーム失敗回復プロセスで、特定の操作を停止することとを含み、
ここで、前記カウンタ及びタイマは、前記端末が前記セル、前記セルグループ内のセル、又は前記キャリアグループ内のセルに対して設定した、ビーム失敗を検出するカウンタ及びタイマである。
【０００５】
第１の態様では、本開示の実施例に係る端末に適用されるビーム失敗に対する設定方法は、
セル、セルグループ又はキャリアグループの状態変化を通知するための通知シグナリングを受信することと、
前記セル、前記セルグループ又は前記キャリアグループの状態変化に基づいて、カウンタ及びタイマの少なくとも一方を設定し、及び／又は、前記セル、前記セルグループ又は前記キャリアグループの状態変化に基づいて、ビーム失敗回復プロセスで、特定の操作を停止することとを含み、
ここで、前記カウンタ及びタイマは、前記端末が前記セル、前記セルグループ内のセル、又は前記キャリアグループ内のセルに対して設定した、ビーム失敗を検出するカウンタ及びタイマである。
【０００６】
第２の態様では、本開示の実施例に係る端末は、
セル、セルグループ又はキャリアグループの状態変化を通知するための通知シグナリングを受信する受信モジュールと、
前記セル、前記セルグループ又は前記キャリアグループの状態変化に基づいて、カウンタ及びタイマの少なくとも一方を設定し、及び／又は、前記セル、前記セルグループ又は前記キャリアグループの状態変化に基づいて、ビーム失敗回復プロセスで、特定の操作を停止する処理モジュールとを含み、
ここで、前記カウンタ及びタイマは、前記端末が前記セル、前記セルグループ内のセル、又は前記キャリアグループ内のセルに対して設定した、ビーム失敗を検出するカウンタ及びタイマである。
【０００７】
第３の態様では、本開示の実施例に係る端末は、メモリと、プロセッサと、前記メモリに記憶され前記プロセッサ上で実行でき、前記プロセッサにより実行されると、本開示の実施例に係るビーム失敗に対する設定方法を実現するコンピュータプログラムと、を含む。
【０００８】
第４の態様では、本開示の実施例に係るコンピュータ可読記憶媒体は、プロセッサにより実行されると、本開示の実施例に係るビーム失敗に対する設定方法を実現するコンピュータプログラムが記憶されている。
【発明の効果】
【０００９】
本開示の実施例では、セル、セルグループ又はキャリアグループの状態変化を通知するための通知シグナリングを受信し、前記セル、前記セルグループ又は前記キャリアグループの状態変化に基づいて、カウンタ及びタイマの少なくとも一方を設定し、及び／又は、前記セル、前記セルグループ又は前記キャリアグループの状態変化に基づいて、ビーム失敗回復プロセスで、特定の操作を停止し、ここで、前記カウンタ及びタイマは、前記端末が前記セル、前記セルグループ内のセル、又は前記キャリアグループ内のセルに対して設定した、ビーム失敗を検出するカウンタ及びタイマである。このように、セル、セルグループ又はキャリアグループの状態変化に基づいて対応する処理を行うことができるため、セル、セルグループ又はキャリアグループの状態変化が考慮されていない関連技術と比較して、本開示の実施例は、端末のビーム失敗検出又はビーム失敗回復の性能を向上させることができる。
【図面の簡単な説明】
【００１０】
【図１】本開示の実施例が適用可能なネットワークシステムの構成図である。
【図２】本開示の実施例に係るビーム失敗に対する設定方法のフローチャートである。
【図３】本開示の実施例に係る端末の構成図である。
【図４】本開示の実施例に係る別の端末の構成図である。
【発明を実施するための形態】
【００１１】
以下、本開示の実施例における図面を参照しながら、本開示の実施例における技術手段を明確かつ完全的に説明する。明らかに、説明される実施例は、本開示の実施例の一部に過ぎず、全てではない。本開示の実施例に基づいて、当業者が創造的な労働をしない前提で得られる他の全ての実施例は、いずれも本開示の保護範囲に属するものである。明細書及び特許請求の範囲における「及び／又は」は、接続対象の少なくとも１つを表す。
【００１２】
図１を参照すると、図１は、本開示の実施例が適用可能なネットワークシステムの構成図であり、図１に示すように、端末と少なくとも１つのセルを含み、端末は、ＵＥ（Ｕｓｅｒ  Ｅｑｕｉｐｍｅｎｔ）又は他の端末機器、例えば、携帯電話、タブレットコンピュータ（Ｔａｂｌｅｔ  Ｐｅｒｓｏｎａｌ  Ｃｏｍｐｕｔｅｒ）、ラップトップコンピュータ（Ｌａｐｔｏｐ  Ｃｏｍｐｕｔｅｒ）、ＰＤＡ（ｐｅｒｓｏｎａｌ  ｄｉｇｉｔａｌ  ａｓｓｉｓｔａｎｔ）、ＭＩＤ（Ｍｏｂｉｌｅ  Ｉｎｔｅｒｎｅｔ  Ｄｅｖｉｃｅ）又はウェアラブルデバイス（Ｗｅａｒａｂｌｅ  Ｄｅｖｉｃｅ）などの端末側機器であってよい。なお、本開示の実施例では、端末の具体的なタイプを限定しない。端末は、１つ以上のセルのカバー範囲内にあり、同時に１つ以上のセルと接続を確立することができる。また、上記少なくとも１つのセルは、ＳＣｅｌｌを含んでもよく、プライマリセルを含んでもよく、ＳＣｅｌｌは、ＣＡシーンにおけるＳＣｅｌｌであってもよく、又はＤＣアーキテクチャにおけるＭＣＧ又はＳＣＧ内のＳＣｅｌｌであってもよい。上記プライマリセルは、ＣＡシーンにおけるＰＣｅｌｌであってもよく、ＤＣアーキテクチャにおけるＭＣＧ内のＰＣｅｌｌであってもよく、又はＳＣＧ内のＰＳＣｅｌｌ又はＳｐＣｅｌｌであってもよい。また、ＳＣｅｌｌとプライマリセルが同一の基地局に対応してもよく、いくつかのシーンでは、ＳＣｅｌｌとプライマリセルが異なる基地局に対応してもよく、これに限定しない。なお、図面では、少なくとも１つのセルがＰＣｅｌｌとＳＣｅｌｌを含む場合を例にして示す。
【００１３】
図２を参照すると、図２は、本開示の実施例に係るビーム失敗に対する設定方法のフローチャートであり、該方法は端末に適用され、図２に示すように、以下のステップ２０１〜２０２を含む。
【００１４】
ステップ２０１では、セル、セルグループ又はキャリアグループの状態変化を通知するための通知シグナリングを受信する。
【００１５】
上記セル、セルグループ又はキャリアグループの状態変化は、基地局が上記端末に対して設定したものであってよく、例えば、基地局が端末に対してあるキャリアグループをアクティブ化するか、基地局が端末に対してあるキャリアグループを非アクティブ化するか、基地局が端末に対してあるセルをアクティブ化するか、基地局が端末に対してあるセルを非アクティブ化するか、端末に対してあるセルを再設定するか、又は端末に対してあるセルグループ又はセルを変換することである。また、基地局が端末に対して上記設定を行った後、基地局は、通知シグナリングにより端末に通知し、例えば、ＲＲＣ（Ｒａｄｉｏ  Ｒｅｓｏｕｒｃｅ  Ｃｏｎｔｒｏｌ）シグナリングにより端末に通知してよく、当然のことながら、他のシグナリングを使用してもよく、これに限定しない。また、端末に通知する基地局は、上記セル、セルグループ又はキャリアグループの基地局であってよく、当然のことながら、上記セル、セルグループ又はキャリアグループと一定の関係がある基地局などであってもよく、これに限定しない。
【００１６】
ステップ２０２では、前記セル、前記セルグループ又は前記キャリアグループの状態変化に基づいて、カウンタ及びタイマの少なくとも一方を設定し、及び／又は、前記セル、前記セルグループ又は前記キャリアグループの状態変化に基づいて、ビーム失敗回復プロセスで、特定の操作を停止し、前記カウンタ及びタイマは、前記端末が前記セル、前記セルグループ内のセル、又は前記キャリアグループ内のセルに対して設定した、ビーム失敗を検出するカウンタ及びタイマである。
【００１７】
ここで、上記カウンタ及びタイマは、上記端末で設定されてビーム失敗検出を行うカウンタ及びタイマであり、１つ以上のセルに対応してもよく、１つ以上のキャリアグループに対応してもよく、または、１つ以上のセルグループに対応してもよい。すなわち、端末は、１つのセル（又はセルグループ、又はキャリアグループ）に対して１つのカウンタ及び１つのタイマを設定してもよく、複数のセル（又はセルグループ、又はキャリアグループ）に対して１つの共通のカウンタ及び１つの共通のタイマを設定してもよく、これに限定しない。上記カウンタ及びタイマの少なくとも一方を設定することは、カウンタ及びタイマの少なくとも一方をリセットすることであってもよく、カウンタ及びタイマの少なくとも一方を継続して動作させることなどであってもよい。ステップ２０２では、上記セル、セルグループ又はキャリアグループの状態変化に基づいて、カウンタ及びタイマの少なくとも一方を設定できるため、セル、セルグループ又はキャリアグループの変化が考慮されていない関連ん技術と比較して、端末のビーム失敗検出性能を向上させることができる。
【００１８】
なお、前記セル、前記セルグループ又は前記キャリアグループの状態変化に基づいて、カウンタ及びタイマの少なくとも一方を設定することは、前記セルの状態変化に基づくと、前記端末によって該セルに対して設定されたカウンタ及びタイマの少なくとも一方を設定することであってもよく、前記セルグループの状態変化に基づくと、前記端末によって該セルグループ内の１つ以上のセルに対して設定されたカウンタ及びタイマの少なくとも一方を設定することであってもよく、前記キャリアグループの状態変化に基づくと、前記端末によって該キャリアグループ内の１つ以上のセルに対して設定されたカウンタ及びタイマの少なくとも一方を設定することであってもよい。また、端末は、セルグループ内の複数のセルに対して共通のカウンタ及びタイマを設定してもよく、セルグループ内の異なるセルに対して異なるカウンタ及びタイマを設定してもよい。同様に、端末は、キャリアグループ内の複数のセルに対して共通のカウンタ及びタイマを設定してもよく、又はキャリアグループ内の異なるセルに対して異なるカウンタ及びタイマを設定してもよい。
【００１９】
また、上記ビーム失敗回復プロセスにおいて、特定の操作を停止することは、ビーム失敗回復プロセスにおけるある操作を停止し、例えば、スクランブルされたＰＤＣＣＨ（Ｐｈｙｓｉｃａｌ  Ｄｏｗｎｌｉｎｋ  Ｃｏｎｔｒｏｌ  Ｃｈａｎｎｅｌ）を傍受することを停止するか、又はＢＦＲ（Ｂｅａｍ  Ｆａｉｌｕｒｅ  Ｒｅｃｏｖｅｒｙ）のためのランダムアクセスプロセスを停止することなどであってよい。ステップ２０２では、ビーム失敗回復プロセスにおいて、特定の操作を停止するため、あるセル、セルグループ又はキャリアグループの状態が変化した後に端末が全てのビーム失敗回復プロセスを継続して行うことを回避することにより、端末の消費電力及び伝送リソースを節約するなどの効果を達成し、さらに端末のビーム失敗回復性能を向上させることができる。
【００２０】
なお、上記ビーム失敗回復プロセスは、ＳＣｅｌｌのビーム失敗回復プロセスであってよい。当然のことながら、上記ビーム失敗回復プロセスはプライマリセルのビーム失敗回復プロセスであってもよく、或いは上記ビーム失敗回復プロセスはあるキャリアグループのビーム失敗回復プロセスであってもよい。
【００２１】
好ましい実施形態として、前記セルの状態変化は、前記セルがアクティブ化されたこと、前記セルが非アクティブ化されたこと、前記セルが再アクティブ化されたこと、又は前記セルが変換されたことを含み、
前記セルグループの状態変化は、前記セルグループがアクティブ化されたこと、前記セルグループが設定されたこと、前記セルグループが再設定されたこと、又は前記セルグループが変換されたことを含み、
前記キャリアグループの状態変化は、前記キャリアグループがアクティブ化されたこと、前記キャリアグループが非アクティブ化されたこと、前記キャリアグループが再アクティブ化されたこと、又は前記キャリアグループが変換されたことを含み、
上記セルは、ＳＣｅｌｌ及びプライマリセルの少なくとも一方を含み、前記セルグループは、ＳＣＧ及びＭＣＧの少なくとも一方を含む。
【００２２】
該実施形態では、ＳＣｅｌｌ及び／又はプライマリセルがアクティブ化、非アクティブ化、再アクティブ化又は変換されると、カウンタ及びタイマの少なくとも一方を設定し、及び／又は、ＳＣｅｌｌ及び／又はプライマリセルがアクティブ化、非アクティブ化、再アクティブ化又は変換されると、ビーム失敗回復プロセスにおいて、特定の操作を停止することを実現することにより、端末のビーム失敗検出又はビーム失敗回復の性能を向上させることができる。
【００２３】
さらに、ＳＣＧ及び／又はＭＣＧがアクティブ化、非アクティブ化、再アクティブ化又は変換されると、カウンタ及びタイマの少なくとも一方を設定し、及び／又は、ＳＣＧ及び／又はＭＣＧがアクティブ化、非アクティブ化、再アクティブ化又は変換されると、ビーム失敗回復プロセスにおいて、特定の操作を停止することを実現することにより、端末のビーム失敗検出又はビーム失敗回復の性能を向上させることができる。
【００２４】
さらに、キャリアグループがアクティブ化、非アクティブ化、再アクティブ化又は変換されると、カウンタ及びタイマの少なくとも一方を設定し、及び／又は、キャリアグループがアクティブ化、非アクティブ化、再アクティブ化又は変換されると、ビーム失敗回復プロセスにおいて、特定の操作を停止することを実現することにより、端末のビーム失敗検出又はビーム失敗回復の性能を向上させることができる。
【００２５】
なお、本開示の実施例では、プライマリセルは、ＰＣｅｌｌ、前記ＭＣＧ内のＰＣｅｌｌ、前記ＳＣＧ内のＰＳＣｅｌｌ及びＳｐＣｅｌｌのうちの少なくとも一方を含んでよい。
【００２６】
１つの実施形態では、前記端末は、前記ＳＣｅｌｌに対してカウンタ及びタイマを設定し、前記プライマリセルに対してカウンタ及びタイマを設定し、
前記カウンタ及びタイマの少なくとも一方を設定することは、
前記ＳＣｅｌｌがアクティブ化、非アクティブ化又は再アクティブ化されると、前記端末によって前記ＳＣｅｌｌに対して設定されたカウンタ及びタイマの少なくとも一方をリセットするか、又は前記端末によって前記ＳＣｅｌｌに対して設定されたカウンタ及びタイマの少なくとも一方を継続して動作させること、
前記プライマリセルが再設定又は変換されると、前記端末によって前記プライマリセルに対して設定されたカウンタ及びタイマの少なくとも一方をリセットするか、又は前記端末によって前記プライマリセルに対して設定されたカウンタ及びタイマの少なくとも一方を継続して動作させること、
前記プライマリセルが再設定又は変換されると、前記端末によって前記ＳＣｅｌｌに対して設定されたカウンタ及びタイマの少なくとも一方をリセットするか、又は前記端末によって前記ＳＣｅｌｌに対して設定されたカウンタ及びタイマの少なくとも一方を継続して動作させること、
前記ＳＣＧがアクティブ化、設定又は再設定されると、前記端末によって前記ＳＣＧ内の少なくとも１つのセルに対して設定されたカウンタ及びタイマの少なくとも一方をリセットするか、又は前記端末によって前記ＳＣＧ内の少なくとも１つのセルに対して設定されたカウンタ及びタイマの少なくとも一方を継続して動作させること、
前記ＭＣＧが再設定又は変換されると、前記端末によって前記ＭＣＧ内の少なくとも１つのセルに対して設定されたカウンタ及びタイマの少なくとも一方をリセットするか、又は前記端末によって前記ＭＣＧ内の少なくとも１つのセルに対して設定されたカウンタ及びタイマの少なくとも一方を継続して動作させること、及び
前記ＭＣＧが再設定又は変換されると、前記端末によって前記ＳＣＧ内の少なくとも１つのセルに対して設定されたカウンタ及びタイマの少なくとも一方をリセットするか、又は前記端末によって前記ＳＣＧ内の少なくとも１つのセルに対して設定されたカウンタ及びタイマの少なくとも一方を継続して動作させることのうちの少なくとも１つを含む。
【００２７】
該実施形態では、ＳＣｅｌｌがアクティブ化、非アクティブ化又は再アクティブ化されると、前記端末によって前記ＳＣｅｌｌに対して設定されたカウンタ及びタイマの少なくとも一方をリセットすることを実現できるため、ＳＣｅｌｌがアクティブ化、非アクティブ化又は再アクティブ化された後、ＳＣｅｌｌに対して設定されたカウンタ及びタイマの少なくとも一方が継続して計時又はカウントすることを回避して、必要でないビーム失敗検出結果を回避することにより、端末のビーム失敗検出性能を向上させることができる。例えば、ＳＣｅｌｌがアクティブ化、非アクティブ化又は再アクティブ化されるか又はＰＣｅｌｌ（又はＳｐＣｅｌｌ／ＰＳＣｅｌｌ）が再設定又は変換されると、対応するｃｅｌｌにおけるビーム失敗検出のためのタイマ及び／又はカウンタをリセットする。また、ＳＣｅｌｌがアクティブ化、非アクティブ化又は再アクティブ化されると、端末によってＳＣｅｌｌに対して設定されたカウンタ及びタイマの少なくとも一方を継続して動作させることができるため、いくつかの特別なシーン（例えば、ＰＣｅｌｌとＳＣｅｌｌのチャネル条件が類似するシーン）では、ビーム失敗回復をより迅速にトリガして、端末の性能を向上させることを実現することができる。例えば、ＳＣｅｌｌが非アクティブ化、再アクティブ化されるか又はＰＣｅｌｌ（又はＳｐＣｅｌｌ／ＰＳＣｅｌｌ）が変換されると、対応するｃｅｌｌにおけるビーム失敗検出のためのタイマ及び／又はカウンタを継続して動作させる。
【００２８】
また、プライマリセルが再設定又は変換されると、上記端末によって上記プライマリセル及びＳＣｅｌｌに対して設定されたカウンタ及びタイマの少なくとも一方をリセットするか、又は上記端末によって上記プライマリセルに対して設定されたカウンタ及びタイマの少なくとも一方を継続して動作させることを実現することができる。このように、同様に不要なビーム失敗検出結果を回避して、端末のビーム失敗検出性能を向上させることができ、かついくつかの特別なシーン（例えば、ＰＣｅｌｌとＳＣｅｌｌのチャネル条件が類似するシーン）では、ビーム失敗回復をより迅速にトリガして、端末の性能を向上させることを実現することができる。
【００２９】
また、ＳＣＧがアクティブ化、設定又は再設定されるか又はＭＣＧが再設定又は変換されると、上記設定を行うことをさらに実現することができ、このように、同様に不要なビーム失敗検出結果を回避して、端末のビーム失敗検出性能を向上させることができ、かついくつかの特別なシーン（例えば、ＰＣｅｌｌとＳＣｅｌｌのチャネル条件が類似するシーン）では、ビーム失敗回復をより迅速にトリガして、端末の性能を向上させることを実現することができる。例えば、ＳＣＧ／ＭＣＧが設定、再設定又は変換されると、ＳＣＧ／ＭＣＧ内の一部のｃｅｌｌ又は全部のｃｅｌｌに対応するビーム失敗検出のためのタイマ及び／又はカウンタをリセットする。また、例えば、ＳＣＧ／ＭＣＧが設定、再設定又は変換されると、ＳＣＧ／ＭＣＧ内の一部のｃｅｌｌ又は全部のｃｅｌｌに対応するビーム失敗検出のためのタイマ及び／又はカウンタを継続して動作させる。
【００３０】
なお、本開示の実施例では、上記再設定中又は継続動作中に、選択的には、カウンタをリセットするが、タイマを継続して動作させることができ、このように、不要なビーム失敗検出結果を回避して、端末のビーム失敗検出性能を向上させることができ、一方、ビーム失敗回復をより迅速にトリガして、端末の性能を向上させることができる。
【００３１】
当然のことながら、本開示の実施例では、キャリアグループに対してカウンタ及びタイマを設定することであってよく、このように、キャリアグループがアクティブ化、非アクティブ化又は再アクティブ化されると、前記端末によってキャリアグループに対して設定されたカウンタ及びタイマの少なくとも一方をリセットするか、又は前記端末によって上記キャリアグループに対して設定されたカウンタ及びタイマの少なくとも一方を継続して動作させる。同様に、不要なビーム失敗検出結果を回避して、端末のビーム失敗検出性能を向上させることができ、かつビーム失敗回復をより迅速にトリガして、端末の性能を向上させることができる。
【００３２】
別の実施形態では、上記端末は、上記ＳＣｅｌｌ及び上記プライマリセルに対して共通のカウンタ及びタイマを設定し、
上記カウンタ及びタイマの少なくとも一方を設定することは、
前記ＳＣｅｌｌがアクティブ化、非アクティブ化又は再アクティブ化されると、前記カウンタ及びタイマの少なくとも一方をリセットするか又は継続して動作させること、及び
前記プライマリセルが再設定又は変換されると、前記カウンタ及びタイマの少なくとも一方をリセットするか又は継続して動作させることのうちの少なくとも１つを含み、
或いは
前記ＳＣＧがアクティブ化、設定又は再設定されると、前記端末によって前記ＳＣＧ内の少なくとも１つのセルに対して設定されたカウンタ及びタイマの少なくとも一方をリセットし、及び／又は、前記端末によって前記ＳＣＧ内の少なくとも１つのセルに対して設定されたカウンタ及びタイマの少なくとも一方を継続して動作させること、及び
前記ＭＣＧが再設定又は変換されると、前記端末によって前記ＳＣＧ内の少なくとも１つのセルに対して設定されたカウンタ及びタイマの少なくとも一方をリセットし、及び／又は、前記端末によって前記ＳＣＧ内の少なくとも１つのセルに対して設定されたカウンタ及びタイマの少なくとも一方を継続して動作させることのうちの少なくとも１つを含む。
【００３３】
上記ＳＣｅｌｌ及びプライマリセルに対して共通のカウンタ及びタイマを設定することは、端末は、ＳＣｅｌｌ及びプライマリセルが一セットのカウンタ及びタイマを共用するように設定することであると理解することができ、このように、多すぎるカウンタ及びタイマを設定する必要がないため、端末のオーバーヘッドを節約することができ、かつビーム失敗回復をより迅速にトリガして、端末の性能を向上させることができる。
【００３４】
該実施形態では、前記ＳＣｅｌｌがアクティブ化、非アクティブ化又は再アクティブ化されるか又は前記プライマリセルが再設定又は変換されると、前記カウンタ及びタイマの少なくとも一方をリセットするか又は継続して動作させることを実現することができる。それにより、不要なビーム失敗検出結果を回避して、端末のビーム失敗検出性能を向上させ、かつビーム失敗回復をより迅速にトリガして、端末の性能を向上させることを実現することができる。例えば、ＳＣｅｌｌがアクティブ化、非アクティブ化又は再アクティブ化されると、ビーム失敗検出のためのタイマ及び／又はカウンタを継続して動作させる。ＰＣｅｌｌ（又はＳｐＣｅｌｌ／ＰＳＣｅｌｌ）が再設定又は変換されると、ビーム失敗検出のためのタイマ及び／又はカウンタをリセットする。
【００３５】
さらに、上記ＳＣＧがアクティブ化、設定又は再設定されるか又はＭＣＧが再設定又は変換されると、上記端末によって前記ＳＣＧ内の少なくとも１つのセルに対して設定されたカウンタ及びタイマの少なくとも一方をリセットし、及び／又は、前記端末が上記ＳＣＧ内の少なくとも１つのセルに対して設定されたカウンタ及びタイマの少なくとも一方を継続して動作させることを実現することができる。それにより、不要なビーム失敗検出結果を回避して、端末のビーム失敗検出性能を向上させ、かつビーム失敗回復をより迅速にトリガして、端末の性能を向上させることを実現することができる。
【００３６】
なお、本開示の実施例では、上記ＳＣＧ内の少なくとも１つのセルは、ＳＣＧ内の一部のセル又は全部のセルであってよく、例えば、ＳＣＧが再設定されるか又はＭＣＧが変換されると、ＳＣＧ内の一部のｃｅｌｌ又は全部のｃｅｌｌに対応するビーム失敗検出のためのタイマ及び／又はカウンタを再設定し、及び／又は、一部のｃｅｌｌ又は全部のｃｅｌｌにおけるビーム失敗検出のためのタイマ／カウンタを継続して動作させる。
【００３７】
別の実施形態では、前記セルは、複数のＳＣｅｌｌを含み、前記端末は、前記複数のＳＣｅｌｌに対して共通のカウンタ及びタイマを設定し、
上記カウンタ及びタイマの少なくとも一方を設定することは、
前記複数のＳＣｅｌｌのうちの少なくとも１つのＳＣｅｌｌがアクティブ化、非アクティブ化又は再アクティブ化されると、前記カウンタ及びタイマの少なくとも一方をリセットするか又は継続して動作させること、
前記ＳＣＧがアクティブ化、設定又は再設定されると、前記端末によって前記ＳＣＧ内の少なくとも１つのセルに対して設定されたカウンタ及びタイマの少なくとも一方をリセットし、及び／又は、前記端末によって前記ＳＣＧ内の少なくとも１つのセルに対して設定されたカウンタ及びタイマの少なくとも一方を継続して動作させること、及び
前記ＭＣＧが再設定又は変換されると、前記端末によって前記ＳＣＧ内の少なくとも１つのセルに対して設定されたカウンタ及びタイマの少なくとも一方をリセットし、及び／又は、前記端末によって前記ＳＣＧ内の少なくとも１つのセルに対して設定されたカウンタ及びタイマの少なくとも一方を継続して動作させることのうちの少なくとも１つを含む。
【００３８】
ここで、上記複数のＳＣｅｌｌに対して共通のカウンタ及びタイマを設定することは、端末は、複数のＳＣｅｌｌが一セットのカウンタ及びタイマを共用するように設定することであると理解することができ、このように、多すぎるカウンタ及びタイマを設定する必要がないため、端末のオーバーヘッドを節約することができ、かつビーム失敗回復をより迅速にトリガして、端末の性能を向上させることができる。
【００３９】
該実施形態では、複数のＳＣｅｌｌのうちの少なくとも１つのＳＣｅｌｌがアクティブ化、非アクティブ化又は再アクティブ化されると、上記カウンタ及びタイマの少なくとも一方をリセットするか又は継続して動作させることを実現することができる。それにより、不要なビーム失敗検出結果を回避して、端末のビーム失敗検出性能を向上させ、かつビーム失敗回復をより迅速にトリガして、端末の性能を向上させることを実現することができる。
【００４０】
さらに、上記ＳＣＧがアクティブ化、設定又は再設定されるか又はＭＣＧが再設定又は変換されると、上記端末によって前記ＳＣＧ内の少なくとも１つのセルに対して設定されたカウンタ及びタイマの少なくとも一方をリセットし、及び／又は、前記端末が上記ＳＣＧ内の少なくとも１つのセルに対して設定されたカウンタ及びタイマの少なくとも一方を継続して動作させることを実現することができる。それにより、不要なビーム失敗検出結果を回避して、端末のビーム失敗検出性能を向上させ、かつビーム失敗回復をより迅速にトリガして、端末の性能を向上させることを実現することができる。
【００４１】
別の選択的な実施形態として、上記特定の操作を停止することは、
前記ＳＣｅｌｌでスクランブルされたＰＤＣＣＨを傍受することを停止すること、
上記プライマリセルでスクランブルされたＰＤＣＣＨを傍受することを停止すること、及び
ビーム失敗回復のためのランダムアクセスプロセスを停止することのうちの少なくとも１つを含む。
【００４２】
該実施形態では、セル、セルグループ又はキャリアグループの状態変化に基づいて、前記ＳＣｅｌｌでスクランブルされたＰＤＣＣＨを傍受することを停止し、上記プライマリセルでスクランブルされたＰＤＣＣＨを傍受することを停止し、及び／又は、ビーム失敗回復のためのランダムアクセスプロセスを停止することを実現することができる。このように、あるセル、セルグループ又はキャリアグループの状態が変化した後に端末が全てのビーム失敗回復プロセスを継続して行うことを回避することにより、端末の消費電力及び伝送リソースを節約するなどの効果を達成し、さらに端末のビーム失敗回復性能を向上させることができる。
【００４３】
選択的には、前記ＳＣｅｌｌでスクランブルされたＰＤＣＣＨは、
前記ＳＣｅｌｌでＣ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ）によりスクランブルされたＰＤＣＣＨを含み、
前記プライマリセルでスクランブルされたＰＤＣＣＨは、
前記プライマリセルでＣ−ＲＮＴＩによりスクランブルされたＰＤＣＣＨを含む。
【００４４】
当然のことながら、本開示の実施例はこれを限定するものではなく、例えば、他のネットワーク識別子を用いてスクランブルを行ってもよい。
【００４５】
選択的には、前記ＳＣｅｌｌでスクランブルされたＰＤＣＣＨを傍受することを停止することは、
前記ビーム失敗回復プロセスが前記セルに含まれる複数のＳＣｅｌｌのうちの少なくとも１つのＳＣｅｌｌで行われると、１つ以上のＳＣｅｌｌでスクランブルされたＰＤＣＣＨを傍受することを停止することを含み、
前記ビーム失敗回復のためのランダムアクセスプロセスを停止することは、
前記ビーム失敗回復プロセスが前記ＳＣｅｌｌで行われると、前記ＳＣｅｌｌでのビーム失敗回復のためのランダムアクセスプロセスを停止すること、又は
前記ビーム失敗回復プロセスが前記プライマリセルで行われると、前記プライマリセルでのビーム失敗回復のためのランダムアクセスプロセスを停止すること、又は
前記ビーム失敗回復プロセスがそれぞれ前記ＳＣｅｌｌ及び前記プライマリセルで行われると、前記ＳＣｅｌｌ及び前記プライマリセルでのビーム失敗回復のためのランダムアクセスプロセスを停止することを含む。
【００４６】
ここで、上記１つ以上のＳＣｅｌｌでスクランブルされたＰＤＣＣＨを傍受することを停止することは、上記複数のＳＣｅｌｌのうち上記ビーム失敗回復プロセスを行うＳＣｅｌｌでスクランブルされたＰＤＣＣＨを傍受することのみを停止し、端末が他のＳＣｅｌｌでスクランブルされたＰＤＣＣＨを傍受し続けることであってよいため、端末の性能を向上させることができる。或いは、上記１つ以上のＳＣｅｌｌでスクランブルされたＰＤＣＣＨを傍受することを停止することは、上記複数のＳＣｅｌｌのうちの全てのＳＣｅｌｌでスクランブルされたＰＤＣＣＨを傍受することを停止することであってよく、このように、全てのＳＣｅｌｌでスクランブルされたＰＤＣＣＨを傍受することを停止するため、端末の消費電力及び伝送リソースを節約するなどの効果を達成し、さらに端末のビーム失敗回復性能を向上させることができる。
【００４７】
また、該実施形態では、上記ビーム失敗回復プロセスが上記ＳＣｅｌｌで行われると、前記ＳＣｅｌｌでのビーム失敗回復のためのランダムアクセスプロセスを停止することを実現できる。当然のことながら、前記ビーム失敗回復プロセスが前記ＳＣｅｌｌで行われると、前記ＳＣｅｌｌでスクランブルされたＰＤＣＣＨを傍受することを停止し、及び／又は、前記プライマリセルでスクランブルされたＰＤＣＣＨを傍受することを停止することであってもよい。
【００４８】
選択的には、上記ビーム失敗回復プロセスは、ＳＣｅｌｌのビーム失敗回復であってよく、すなわち、該ビーム失敗回復プロセスは、ＳＣｅｌｌのビーム失敗を回復するプロセスであってよい。例えば、ＳＣｅｌｌのビーム失敗回復がＳＣｅｌｌで行われれば、ＳＣｅｌｌがアクティブ化、非アクティブ化又は再アクティブ化されるか又はＳＣＧが設定、再設定又はＭＣＧが変換されると、
ＳＣｅｌｌでＣ−ＲＮＴＩによりスクランブルされたＰＤＣＣＨを傍受することを停止するステップ、
ＰＣｅｌｌ（又はＳｐＣｅｌｌ／ＰＳＣｅｌｌ）でＣ−ＲＮＴＩによりスクランブルされたＰＤＣＣＨを傍受することを停止するステップ、及び
ＳＣｅｌｌでのＢＦＲのためのランダムアクセスプロセスを停止するステップのうちの少なくとも１つを実行する。
【００４９】
選択的には、前記ＳＣｅｌｌでのビーム失敗回復のためのランダムアクセスプロセスを停止することは、
前記ＳＣｅｌｌでプリアンブルを送信することを停止すること、
前記ＳＣｅｌｌでランダムアクセスプロセスのｍｓｇ２を傍受することを停止すること、
前記ＳＣｅｌｌでランダムアクセスプロセスのｍｓｇ３を送信することを停止すること、及び
前記ＳＣｅｌｌでランダムアクセスプロセスのｍｓｇ４を傍受することを停止することのうちの少なくとも１つを含む。
【００５０】
また、該実施形態では、上記ビーム失敗回復プロセスが前記プライマリセルで行われると、前記プライマリセルでのビーム失敗回復のためのランダムアクセスプロセスを停止することを実現することができる。当然のことながら、上記ビーム失敗回復プロセスが前記プライマリセルで行われると、前記ＳＣｅｌｌでスクランブルされたＰＤＣＣＨを傍受することを停止し、及び／又は、前記プライマリセルでスクランブルされたＰＤＣＣＨを傍受することを停止することもできる。
【００５１】
選択的には、上記ビーム失敗回復プロセスは、ＳＣｅｌｌのビーム失敗回復であってよく、例えば、ＳＣｅｌｌのビーム失敗回復がＰＣｅｌｌ（又はＳｐＣｅｌｌ／ＰＳＣｅｌｌ）で行われれば、ＳＣｅｌｌがアクティブ化、非アクティブ化又は再アクティブ化されるか又はＳＣＧが設定、再設定又はＭＣＧが変換されると、
ＳＣｅｌｌでＣ−ＲＮＴＩによりスクランブルされたＰＤＣＣＨを傍受することを停止するステップ、
ＰＣｅｌｌ（又はＳｐＣｅｌｌ／ＰＳＣｅｌｌ）でＣ−ＲＮＴＩによりスクランブルされたＰＤＣＣＨを傍受することを停止するステップ、及び
ＰＣｅｌｌ（又はＳｐＣｅｌｌ／ＰＳＣｅｌｌ）でのＢＦＲのためのランダムアクセスプロセスを停止するステップのうちの少なくとも１つを実行する。
【００５２】
選択的には、前記プライマリセルでのビーム失敗回復のためのランダムアクセスプロセスを停止することは、
前記プライマリセルでプリアンブルを送信することを停止すること、
前記プライマリセルでランダムアクセスプロセスのｍｓｇ２を傍受することを停止すること、
前記プライマリセルでランダムアクセスプロセスのｍｓｇ３を送信することを停止すること、及び
前記プライマリセルでランダムアクセスプロセスのｍｓｇ４を傍受することを停止することのうちの少なくとも１つを含む。
【００５３】
また、該実施形態では、上記ビーム失敗回復プロセスがそれぞれ前記ＳＣｅｌｌ及び前記プライマリセルで行われると、前記ＳＣｅｌｌ及び前記プライマリセルでのビーム失敗回復のためのランダムアクセスプロセスを停止することを実現することができる。上記ビーム失敗回復プロセスがそれぞれ前記ＳＣｅｌｌ及び前記プライマリセルで行われることは、ＣＦＲＡ（Ｃｏｎｔｅｎｔｉｏｎ−Ｆｒｅｅ  Ｒａｎｄｏｍ  Ａｃｃｅｓｓ）プロセスにおけるメッセージ（ｍｓｇ）１とｍｓｇ２がそれぞれＳＣｅｌｌで送信され、ＰＣｅｌｌで受信されることであってもよく、ＣＢＲＡ（Ｃｏｎｔｅｎｔｉｏｎ  Ｂａｓｅｄ  Ｒａｎｄｏｍ  Ａｃｃｅｓｓ）プロセスにおけるｍｓｇ１、ｍｓｇ２、ｍｓｇ３及びｍｓｇ４がそれぞれＳＣｅｌｌとＰＣｅｌｌ（又はＳｐＣｅｌｌ／ＰＳＣｅｌｌ）で送受信されることであってもよい。
【００５４】
選択的には、上記ビーム失敗回復プロセスは、ＳＣｅｌｌのビーム失敗回復であってよく、例えば、ＳＣｅｌｌのビーム失敗回復がＳＣｅｌｌ＋ＰＣｅｌｌ（又はＳｐＣｅｌｌ／ＰＳＣｅｌｌ）で行われれば、ＳＣｅｌｌがアクティブ化、非アクティブ化又は再アクティブ化されるか又はＳＣＧが設定、再設定又はＭＣＧが変換されると、
ＳＣｅｌｌでＣ−ＲＮＴＩによりスクランブルされたＰＤＣＣＨを傍受することを停止するステップ、
ＰＣｅｌｌ（又はＳｐＣｅｌｌ／ＰＳＣｅｌｌ）でＣ−ＲＮＴＩによりスクランブルされたＰＤＣＣＨを傍受することを停止するステップ、及び
ＳＣｅｌｌ＋ＰＣｅｌｌ（又はＳｐＣｅｌｌ／ＰＳＣｅｌｌ）でのＢＦＲのためのランダムアクセスプロセスを停止するステップのうちの少なくとも１つを実行する。
【００５５】
選択的には、前記ＳＣｅｌｌ及び前記プライマリセルでのビーム失敗回復のためのランダムアクセスプロセスを停止することは、
前記ＳＣｅｌｌでプリアンブルを送信することを停止すること、
前記プライマリセルでプリアンブルを送信することを停止すること、
前記ＳＣｅｌｌでランダムアクセスプロセスのｍｓｇ２を傍受することを停止すること、
前記プライマリセルでランダムアクセスプロセスのｍｓｇ２を傍受することを停止すること、
前記ＳＣｅｌｌでランダムアクセスプロセスのｍｓｇ３を送信することを停止すること、
前記プライマリセルでランダムアクセスプロセスのｍｓｇ３を送信することを停止すること、
前記ＳＣｅｌｌでランダムアクセスプロセスのｍｓｇ４を傍受することを停止すること、及び
前記プライマリセルでランダムアクセスプロセスのｍｓｇ４を傍受することを停止することのうちの少なくとも１つを含む。
【００５６】
なお、上記方法は、５Ｇシステム又は４Ｇシステムに適用可能であるが、これらに限定されず、基本的に同じ機能を実現できれば、他の通信システムに適用可能であり、例えば、６Ｇシステム、又はビーム失敗検出又はビーム失敗回復のための通信システムなどに適用可能である。
【００５７】
本開示の実施例では、セル、セルグループ又はキャリアグループの状態変化を通知するための通知シグナリングを受信し、前記セル、前記セルグループ又は前記キャリアグループの状態変化に基づいて、カウンタ及びタイマの少なくとも一方を設定し、及び／又は、前記セル、前記セルグループ又は前記キャリアグループの状態変化に基づいて、ビーム失敗回復プロセスで、特定の操作を停止し、ここで、前記カウンタ及びタイマは、上記端末が前記セル、前記セルグループ内のセル、又は前記キャリアグループ内のセルに対して設定した、ビーム失敗を検出するカウンタ及びタイマである。このように、セル、セルグループ又はキャリアグループの状態変化に基づいて対応する処理を行うことができるため、セル、セルグループ又はキャリアグループの状態変化が考慮されていない関連技術と比較して、本開示の実施例は、端末のビーム失敗検出又はビーム失敗回復の性能を向上させることができる。
【００５８】
図３を参照すると、図３は、本開示の実施例に係る端末の構成図であり、図３に示すように、端末３００は、
セル、セルグループ又はキャリアグループの状態変化を通知するための通知シグナリングを受信する受信モジュール３０１と、
前記セル、前記セルグループ又は前記キャリアグループの状態変化に基づいて、カウンタ及びタイマの少なくとも一方を設定し、及び／又は、前記セル、前記セルグループ又は前記キャリアグループの状態変化に基づいて、ビーム失敗回復プロセスで、特定の操作を停止する処理モジュール３０２とを含み、前記カウンタ及びタイマは、前記端末が前記セル、前記セルグループ内のセル、又は前記キャリアグループ内のセルに対して設定した、ビーム失敗を検出するカウンタ及びタイマである。
【００５９】
選択的には、前記セルの状態変化は、前記セルがアクティブ化されたこと、前記セルが非アクティブ化されたこと、前記セルが再アクティブ化されたこと、又は前記セルが変換されたことを含み、
前記セルグループの状態変化は、前記セルグループがアクティブ化されたこと、前記セルグループが設定されたこと、前記セルグループが再設定されたこと、又は前記セルグループが変換されたことを含み、
前記キャリアグループの状態変化は、前記キャリアグループがアクティブ化されたこと、前記キャリアグループが非アクティブ化されたこと、前記キャリアグループが再アクティブ化されたこと、又は前記キャリアグループが変換されたことを含み、
前記セルは、ＳＣｅｌｌ及びプライマリセルの少なくとも一方を含み、前記セルグループは、ＳＣＧ及びＭＣＧの少なくとも一方である。
【００６０】
選択的には、前記端末は、前記ＳＣｅｌｌに対してカウンタ及びタイマを設定し、前記プライマリセルに対してカウンタ及びタイマを設定し、
前記カウンタ及びタイマの少なくとも一方を設定することは、
前記ＳＣｅｌｌがアクティブ化、非アクティブ化又は再アクティブ化されると、前記端末によって前記ＳＣｅｌｌに対して設定されたカウンタ及びタイマの少なくとも一方をリセットするか、又は前記端末によって前記ＳＣｅｌｌに対して設定されたカウンタ及びタイマの少なくとも一方を継続して動作させること、
前記プライマリセルが再設定又は変換されると、前記端末によって前記プライマリセルに対して設定されたカウンタ及びタイマの少なくとも一方をリセットするか、又は前記端末によって前記プライマリセルに対して設定されたカウンタ及びタイマの少なくとも一方を継続して動作させること、
前記プライマリセルが再設定又は変換されると、前記端末によって前記ＳＣｅｌｌに対して設定されたカウンタ及びタイマの少なくとも一方をリセットするか、又は前記端末によって前記ＳＣｅｌｌに対して設定されたカウンタ及びタイマの少なくとも一方を継続して動作させること、
前記ＳＣＧがアクティブ化、設定又は再設定されると、前記端末によって前記ＳＣＧ内の少なくとも１つのセルに対して設定されたカウンタ及びタイマの少なくとも一方をリセットするか、又は前記端末によって前記ＳＣＧ内の少なくとも１つのセルに対して設定されたカウンタ及びタイマの少なくとも一方を継続して動作させること、
前記ＭＣＧが再設定又は変換されると、前記端末によって前記ＭＣＧ内の少なくとも１つのセルに対して設定されたカウンタ及びタイマの少なくとも一方をリセットするか、又は前記端末によって前記ＭＣＧ内の少なくとも１つのセルに対して設定されたカウンタ及びタイマの少なくとも一方を継続して動作させること、及び
前記ＭＣＧが再設定又は変換されると、前記端末によって前記ＳＣＧ内の少なくとも１つのセルに対して設定されたカウンタ及びタイマの少なくとも一方をリセットするか、又は前記端末によって前記ＳＣＧ内の少なくとも１つのセルに対して設定されたカウンタ及びタイマの少なくとも一方を継続して動作させることのうちの少なくとも１つを含む。
【００６１】
選択的には、前記端末は、前記ＳＣｅｌｌ及び前記プライマリセルに対して共通のカウンタ及びタイマを設定し、
前記カウンタ及びタイマの少なくとも一方を設定することは、
前記ＳＣｅｌｌがアクティブ化、非アクティブ化又は再アクティブ化されると、前記カウンタ及びタイマの少なくとも一方をリセットするか又は継続して動作させること、及び
前記プライマリセルが再設定又は変換されると、前記カウンタ及びタイマの少なくとも一方をリセットするか又は継続して動作させることのうちの少なくとも１つを含み、
或いは
前記ＳＣＧがアクティブ化、設定又は再設定されると、前記端末によって前記ＳＣＧ内の少なくとも１つのセルに対して設定されたカウンタ及びタイマの少なくとも一方をリセットし、及び／又は、前記端末によって前記ＳＣＧ内の少なくとも１つのセルに対して設定されたカウンタ及びタイマの少なくとも一方を継続して動作させること、及び
前記ＭＣＧが再設定又は変換されると、前記端末によって前記ＳＣＧ内の少なくとも１つのセルに対して設定されたカウンタ及びタイマの少なくとも一方をリセットし、及び／又は、前記端末によって前記ＳＣＧ内の少なくとも１つのセルに対して設定されたカウンタ及びタイマの少なくとも一方を継続して動作させることのうちの少なくとも１つを含む。
【００６２】
選択的には、前記セルは、複数のＳＣｅｌｌを含み、前記端末は、前記複数のＳＣｅｌｌに対して共通のカウンタ及びタイマを設定し、
前記カウンタ及びタイマの少なくとも一方を設定することは、
前記複数のＳＣｅｌｌのうちの少なくとも１つのＳＣｅｌｌがアクティブ化、非アクティブ化又は再アクティブ化されると、前記カウンタ及びタイマの少なくとも一方をリセットするか又は継続して動作させること、
前記ＳＣＧがアクティブ化、設定又は再設定されると、前記端末によって前記ＳＣＧ内の少なくとも１つのセルに対して設定されたカウンタ及びタイマの少なくとも一方をリセットし、及び／又は、前記端末によって前記ＳＣＧ内の少なくとも１つのセルに対して設定されたカウンタ及びタイマの少なくとも一方を継続して動作させること、及び
前記ＭＣＧが再設定又は変換されると、前記端末によって前記ＳＣＧ内の少なくとも１つのセルに対して設定されたカウンタ及びタイマの少なくとも一方をリセットし、及び／又は、前記端末によって前記ＳＣＧ内の少なくとも１つのセルに対して設定されたカウンタ及びタイマの少なくとも一方を継続して動作させることのうちの少なくとも１つを含む。
【００６３】
選択的には、前記特定の操作を停止することは、
前記ＳＣｅｌｌでスクランブルされたＰＤＣＣＨを傍受することを停止すること、
前記プライマリセルでスクランブルされたＰＤＣＣＨを傍受することを停止すること、及び
ビーム失敗回復のためのランダムアクセスプロセスを停止することのうちの少なくとも１つを含む。
【００６４】
選択的には、前記ＳＣｅｌｌでスクランブルされたＰＤＣＣＨを傍受することを停止することは、
前記ビーム失敗回復プロセスが前記セルに含まれる複数のＳＣｅｌｌのうちの少なくとも１つのＳＣｅｌｌで行われると、１つ以上のＳＣｅｌｌでスクランブルされたＰＤＣＣＨを傍受することを停止することを含み、
前記ビーム失敗回復のためのランダムアクセスプロセスを停止することは、
前記ビーム失敗回復プロセスが前記ＳＣｅｌｌで行われると、前記ＳＣｅｌｌでのビーム失敗回復のためのランダムアクセスプロセスを停止すること、又は
前記ビーム失敗回復プロセスが前記プライマリセルで行われると、前記プライマリセルでのビーム失敗回復のためのランダムアクセスプロセスを停止すること、又は
前記ビーム失敗回復プロセスがそれぞれ前記ＳＣｅｌｌ及び前記プライマリセルで行われると、前記ＳＣｅｌｌ及び前記プライマリセルでのビーム失敗回復のためのランダムアクセスプロセスを停止することを含む。
【００６５】
選択的には、前記ＳＣｅｌｌ及び前記プライマリセルでのビーム失敗回復のためのランダムアクセスプロセスを停止することは、
前記ＳＣｅｌｌでプリアンブルを送信することを停止すること、
前記プライマリセルでプリアンブルを送信することを停止すること、
前記ＳＣｅｌｌでランダムアクセスプロセスのｍｓｇ２を傍受することを停止すること、
前記プライマリセルでランダムアクセスプロセスのｍｓｇ２を傍受することを停止すること、
前記ＳＣｅｌｌでランダムアクセスプロセスのｍｓｇ３を送信することを停止すること、
前記プライマリセルでランダムアクセスプロセスのｍｓｇ３を送信することを停止すること、
前記ＳＣｅｌｌでランダムアクセスプロセスのｍｓｇ４を傍受することを停止すること、及び
前記プライマリセルでランダムアクセスプロセスのｍｓｇ４を傍受することを停止することのうちの少なくとも１つを含む。
【００６６】
選択的には、前記ＳＣｅｌｌでスクランブルされたＰＤＣＣＨは、
前記ＳＣｅｌｌでＣ−ＲＮＴＩによりスクランブルされたＰＤＣＣＨを含み、
前記プライマリセルでスクランブルされたＰＤＣＣＨは、
前記プライマリセルでＣ−ＲＮＴＩによりスクランブルされたＰＤＣＣＨを含む。
【００６７】
選択的には、上記プライマリセルは、プライマリセルＰＣｅｌｌ、上記ＭＣＧ内のＰＣｅｌｌ、上記ＳＣＧ内のＰＳＣｅｌｌ及びＳｐＣｅｌｌのうちの少なくとも一方を含む。
【００６８】
本開示の実施例に係る端末は、図２の方法の実施例における端末が実現する各プロセスを実現することができ、重複を避けるために、ここでは説明を省略し、端末のビーム失敗検出又はビーム失敗回復の性能を向上させることができる。
【００６９】
図４は、本開示の各実施例を実現する端末のハードウェア構成図である。
【００７０】
該端末４００は、無線周波数ユニット４０１、ネットワークモジュール４０２、オーディオ出力ユニット４０３、入力ユニット４０４、センサ４０５、表示ユニット４０６、ユーザ入力ユニット４０７、インタフェースユニット４０８、メモリ４０９、プロセッサ４１０及び電源４１１などの部品を含むが、これらに限定されない。当業者が理解できるように、図４に示す端末の構造は、端末を限定するものではなく、端末は、図示より多いか又は少ない部品を含んでもよく、ある部品を組み合わせたり、異なる部品を配置したりしてもよい。本開示の実施例では、端末は、携帯電話、タブレットコンピュータ、ノートパソコン、パームトップコンピュータ、車載端末、ウェアラブルデバイス及び歩数計などを含むが、これらに限定されない。
【００７１】
無線周波数ユニット４０１は、セル、セルグループ又はキャリアグループの状態変化を通知するための通知シグナリングを受信し、
プロセッサ４１０は、前記セル、前記セルグループ又は前記キャリアグループの状態変化に基づいて、カウンタ及びタイマの少なくとも一方を設定し、及び／又は、前記セル、前記セルグループ又は前記キャリアグループの状態変化に基づいて、ビーム失敗回復プロセスで、特定の操作を停止し、前記カウンタ及びタイマは、前記端末が前記セル、前記セルグループ内のセル、又は前記キャリアグループ内のセルに対して設定した、ビーム失敗を検出するカウンタ及びタイマである。
【００７２】
選択的には、前記セルの状態変化は、前記セルがアクティブ化されたこと、前記セルが非アクティブ化されたこと、前記セルが再アクティブ化されたこと、又は前記セルが変換されたことを含み、
前記セルグループの状態変化は、前記セルグループがアクティブ化されたこと、前記セルグループが設定されたこと、前記セルグループが再設定されたこと、又は前記セルグループが変換されたことを含み、
前記キャリアグループの状態変化は、前記キャリアグループがアクティブ化されたこと、前記キャリアグループが非アクティブ化されたこと、前記キャリアグループが再アクティブ化されたこと、又は前記キャリアグループが変換されたことを含み、
前記セルは、ＳＣｅｌｌ及びプライマリセルの少なくとも一方を含み、前記セルグループは、ＳＣＧ及びＭＣＧの少なくとも一方である。
【００７３】
選択的には、前記端末は、前記ＳＣｅｌｌに対してカウンタ及びタイマを設定し、前記プライマリセルに対してカウンタ及びタイマを設定し、
前記カウンタ及びタイマの少なくとも一方を設定することは、
前記ＳＣｅｌｌがアクティブ化、非アクティブ化又は再アクティブ化されると、前記端末によって前記ＳＣｅｌｌに対して設定されたカウンタ及びタイマの少なくとも一方をリセットするか、又は前記端末によって前記ＳＣｅｌｌに対して設定されたカウンタ及びタイマの少なくとも一方を継続して動作させること、
前記プライマリセルが再設定又は変換されると、前記端末によって前記プライマリセルに対して設定されたカウンタ及びタイマの少なくとも一方をリセットするか、又は前記端末によって前記プライマリセルに対して設定されたカウンタ及びタイマの少なくとも一方を継続して動作させること、
前記プライマリセルが再設定又は変換されると、前記端末によって前記ＳＣｅｌｌに対して設定されたカウンタ及びタイマの少なくとも一方をリセットするか、又は前記端末によって前記ＳＣｅｌｌに対して設定されたカウンタ及びタイマの少なくとも一方を継続して動作させること、
前記ＳＣＧがアクティブ化、設定又は再設定されると、前記端末によって前記ＳＣＧ内の少なくとも１つのセルに対して設定されたカウンタ及びタイマの少なくとも一方をリセットするか、又は前記端末によって前記ＳＣＧ内の少なくとも１つのセルに対して設定されたカウンタ及びタイマの少なくとも一方を継続して動作させること、
前記ＭＣＧが再設定又は変換されると、前記端末によって前記ＭＣＧ内の少なくとも１つのセルに対して設定されたカウンタ及びタイマの少なくとも一方をリセットするか、又は前記端末によって前記ＭＣＧ内の少なくとも１つのセルに対して設定されたカウンタ及びタイマの少なくとも一方を継続して動作させること、及び
前記ＭＣＧが再設定又は変換されると、前記端末によって前記ＳＣＧ内の少なくとも１つのセルに対して設定されたカウンタ及びタイマの少なくとも一方をリセットするか、又は前記端末によって前記ＳＣＧ内の少なくとも１つのセルに対して設定されたカウンタ及びタイマの少なくとも一方を継続して動作させることのうちの少なくとも１つを含む。
【００７４】
選択的には、前記端末は、前記ＳＣｅｌｌ及び前記プライマリセルに対して共通のカウンタ及びタイマを設定し、
前記カウンタ及びタイマの少なくとも一方を設定することは、
前記ＳＣｅｌｌがアクティブ化、非アクティブ化又は再アクティブ化されると、前記カウンタ及びタイマの少なくとも一方をリセットするか又は継続して動作させること、及び
前記プライマリセルが再設定又は変換されると、前記カウンタ及びタイマの少なくとも一方をリセットするか又は継続して動作させることのうちの少なくとも１つを含み、
或いは
前記ＳＣＧがアクティブ化、設定又は再設定されると、前記端末によって前記ＳＣＧ内の少なくとも１つのセルに対して設定されたカウンタ及びタイマの少なくとも一方をリセットし、及び／又は、前記端末によって前記ＳＣＧ内の少なくとも１つのセルに対して設定されたカウンタ及びタイマの少なくとも一方を継続して動作させること、及び
前記ＭＣＧが再設定又は変換されると、前記端末によって前記ＳＣＧ内の少なくとも１つのセルに対して設定されたカウンタ及びタイマの少なくとも一方をリセットし、及び／又は、前記端末によって前記ＳＣＧ内の少なくとも１つのセルに対して設定されたカウンタ及びタイマの少なくとも一方を継続して動作させることのうちの少なくとも１つを含む。
【００７５】
選択的には、前記セルは、複数のＳＣｅｌｌを含み、前記端末は、前記複数のＳＣｅｌｌに対して共通のカウンタ及びタイマを設定し、
前記カウンタ及びタイマの少なくとも一方を設定することは、
前記複数のＳＣｅｌｌのうちの少なくとも１つのＳＣｅｌｌがアクティブ化、非アクティブ化又は再アクティブ化されると、前記カウンタ及びタイマの少なくとも一方をリセットするか又は継続して動作させること、
前記ＳＣＧがアクティブ化、設定又は再設定されると、前記端末によって前記ＳＣＧ内の少なくとも１つのセルに対して設定されたカウンタ及びタイマの少なくとも一方をリセットし、及び／又は、前記端末によって前記ＳＣＧ内の少なくとも１つのセルに対して設定されたカウンタ及びタイマの少なくとも一方を継続して動作させること、及び
前記ＭＣＧが再設定又は変換されると、前記端末によって前記ＳＣＧ内の少なくとも１つのセルに対して設定されたカウンタ及びタイマの少なくとも一方をリセットし、及び／又は、前記端末によって前記ＳＣＧ内の少なくとも１つのセルに対して設定されたカウンタ及びタイマの少なくとも一方を継続して動作させることのうちの少なくとも１つを含む。
【００７６】
選択的には、前記特定の操作を停止することは、
前記ＳＣｅｌｌでスクランブルされたＰＤＣＣＨを傍受することを停止すること、
前記プライマリセルでスクランブルされたＰＤＣＣＨを傍受することを停止すること、及び
ビーム失敗回復のためのランダムアクセスプロセスを停止することのうちの少なくとも１つを含む。
【００７７】
選択的には、前記ＳＣｅｌｌでスクランブルされたＰＤＣＣＨを傍受することを停止することは、
前記ビーム失敗回復プロセスが前記セルに含まれる複数のＳＣｅｌｌのうちの少なくとも１つのＳＣｅｌｌで行われると、１つ以上のＳＣｅｌｌでスクランブルされたＰＤＣＣＨを傍受することを停止することを含み、
前記ビーム失敗回復のためのランダムアクセスプロセスを停止することは、
前記ビーム失敗回復プロセスが前記ＳＣｅｌｌで行われると、前記ＳＣｅｌｌでのビーム失敗回復のためのランダムアクセスプロセスを停止すること、又は
前記ビーム失敗回復プロセスが前記プライマリセルで行われると、前記プライマリセルでのビーム失敗回復のためのランダムアクセスプロセスを停止すること、又は
前記ビーム失敗回復プロセスがそれぞれ前記ＳＣｅｌｌ及び前記プライマリセルで行われると、前記ＳＣｅｌｌ及び前記プライマリセルでのビーム失敗回復のためのランダムアクセスプロセスを停止することを含む。
【００７８】
選択的には、前記ＳＣｅｌｌ及び前記プライマリセルでのビーム失敗回復のためのランダムアクセスプロセスを停止することは、
前記ＳＣｅｌｌでプリアンブルを送信することを停止すること、
前記プライマリセルでプリアンブルを送信することを停止すること、
前記ＳＣｅｌｌでランダムアクセスプロセスのｍｓｇ２を傍受することを停止すること、
前記プライマリセルでランダムアクセスプロセスのｍｓｇ２を傍受することを停止すること、
前記ＳＣｅｌｌでランダムアクセスプロセスのｍｓｇ３を送信することを停止すること、
前記プライマリセルでランダムアクセスプロセスのｍｓｇ３を送信することを停止すること、
前記ＳＣｅｌｌでランダムアクセスプロセスのｍｓｇ４を傍受することを停止すること、及び
前記プライマリセルでランダムアクセスプロセスのｍｓｇ４を傍受することを停止することのうちの少なくとも１つを含む。
【００７９】
選択的には、上記ＳＣｅｌｌでスクランブルされたＰＤＣＣＨは、
上記ＳＣｅｌｌでセル無線ネットワーク一時的識別子Ｃ−ＲＮＴＩによりスクランブルされたＰＤＣＣＨを含み、
上記プライマリセルでスクランブルされたＰＤＣＣＨは、
上記プライマリセルでＣ−ＲＮＴＩによりスクランブルされたＰＤＣＣＨを含む。
【００８０】
選択的には、前記プライマリセルは、ＰＣｅｌｌ、前記ＭＣＧ内のＰＣｅｌｌ、前記ＳＣＧ内のＰＳＣｅｌｌ及びＳｐＣｅｌｌのうちの少なくとも一方を含む。
【００８１】
上記端末は、端末のビーム失敗検出又はビーム失敗回復の性能を向上させることができる。
【００８２】
本開示の実施例では、無線周波数ユニット４０１は、情報の送受信中又は通話中の信号の送受信に適用可能であり、具体的には、基地局からのダウンリンクデータを受信した後、プロセッサ４１０に処理させてそれに送信し、また、アップリンクデータを基地局に送信することを理解されたい。一般的には、無線周波数ユニット４０１は、アンテナ、少なくとも１つの増幅器、送受信機、カプラ、低雑音増幅器、デュプレクサなどを含むが、これらに限定されない。また、無線周波数ユニット４０１は、さらに、無線通信システムによりネットワーク及び他の装置と通信することができる。
【００８３】
端末は、ネットワークモジュール４０２によりユーザに無線のブロードバンドインターネットアクセスを提供して、ユーザの電子メールの送受信、ウェブの閲覧及びストリーミングメディアのアクセスなどを助ける。
【００８４】
オーディオ出力ユニット４０３は、無線周波数ユニット４０１又はネットワークモジュール４０２によって受信されるか又はメモリ４０９に記憶されているオーディオデータをオーディオ信号に変換して音声として出力することができる。そして、オーディオ出力ユニット４０３は、端末４００によって実行される特定の機能に関連するオーディオ出力（例えば、呼出信号受信音声、メッセージ着信音など）をさらに提供することができる。オーディオ出力ユニット４０３は、スピーカー、ブザー及びレシーバーなどを含む。
【００８５】
入力ユニット４０４は、オーディオ又はビデオ信号を受信する。入力ユニット４０４は、ＧＰＵ（Ｇｒａｐｈｉｃｓ  Ｐｒｏｃｅｓｓｉｎｇ  Ｕｎｉｔ）４０４１及びマイクロフォン４０４２を含んでよく、ＧＰＵ４０４１は、動画撮影モード又は撮影モードで撮影装置（例えば、カメラ）によって取得された静止画像又はビデオの画像データを処理する。処理後の画像フレームは、表示ユニット４０６に表示することができる。ＧＰＵ４０４１によって処理された画像フレームは、メモリ４０９（又は他の記憶媒体）に記憶されてもよく、無線周波数ユニット４０１又はネットワークモジュール４０２によって送信されてもよい。マイク４０４２は、音声を受信して、かつこのような音声をオーディオデータに処理することができる。処理後のオーディオデータは、電話通話モードで無線周波数ユニット４０１によって移動通信基地局に送信可能なフォーマットに変換されて出力することができる。
【００８６】
端末４００は、光センサ、動きセンサ及び他のセンサなどの少なくとも１種のセンサ４０５をさらに含んでよい。具体的には、光センサは、環境光線の明るさに応じて表示パネル４０６１の輝度を調節することができる環境光センサと、端末４００が耳元に移動するときに、表示パネル４０６１及び／又はバックライトをオフにすることができる近接センサとを含む。動きセンサの１種として、加速センサは、各方向（一般に３軸）の加速度の大きさを検出でき、静止時に重力の大きさ及び方向を検出でき、端末姿勢の識別（例えば、縦向き／横向きの切替、ゲーム関連、磁力計の姿勢較正）、振動識別に関連する機能（例えば、歩数計、タッピング）などに用いられてよく、センサ４０５は、指紋センサ、圧力センサ、虹彩センサ、分子センサ、ジャイロスコープ、気圧計、湿度計、温度計、赤外線センサなどをさらに含んでよく、ここでは説明を省略する。
【００８７】
表示ユニット４０６は、ユーザによって入力された情報又はユーザに提供された情報を表示する。表示ユニット４０６は、表示パネル４０６１を含んでよく、ＬＣＤ（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ−Ｅｍｉｔｔｉｎｇ  Ｄｉｏｄｅ）などの形態で表示パネル４０６１を設定することができる。
【００８８】
ユーザ入力ユニット４０７は、入力された数字又は文字情報を受信すると共に、端末のユーザセッティング及び機能制御に関連するキー信号入力を生成することができる。具体的には、ユーザ入力ユニット４０７は、タッチパネル４０７１及び他の入力機器４０７２を含む。タッチパネル４０７１は、タッチスクリーンとも呼ばられ、その上又はその近くでのユーザのタッチ操作（例えば、指、スタイラスペンなどの任意の適切な物体又は付属品を用いるタッチパネル４０７１上又はタッチパネル４０７１の近くでのユーザの操作）を収集することができる。タッチパネル４０７１は、タッチ検出装置及びタッチコントローラの２つの部品を含んでよい。タッチ検出装置は、ユーザのタッチ方向を検出し、タッチ操作による信号を検出し、信号をタッチコントローラに伝送し、タッチコントローラは、タッチ検出装置からタッチ情報を受信し、タッチポイント座標に変換して、プロセッサ４１０に送信し、プロセッサ４１０から送信されたコマンドを受信し、実行する。また、抵抗式、コンデンサ式、赤外線式及び表面弾性波式などの複数のタイプでタッチパネル４０７１を実現することができる。タッチパネル４０７１に加えて、ユーザ入力ユニット４０７は、他の入力機器４０７２をさらに含んでよい。具体的には、他の入力機器４０７２は、物理キーボード、機能キー（例えば、ボリューム調節キー、スイッチキーなど）、トラックボール、マウス及び操作レバーを含み得るが、これらに限定されず、ここでは説明を省略する。
【００８９】
さらに、タッチパネル４０７１は、表示パネル４０６１をカバーすることができ、タッチパネル４０７１がその上又はその近くでのタッチ操作を検出した後、プロセッサ４１０に伝送してタッチイベントのタイプを決定し、その後に、プロセッサ４１０は、タッチイベントのタイプに応じて表示パネル４０６１に対応する視覚的出力を提供する。図４において、タッチパネル４０７１と表示パネル４０６１は、２つの独立した部品として端末の入出力機能を実現するが、いくつかの実施例では、タッチパネル４０７１と表示パネル４０６１を一体化して端末の入出力機能を実現することができ、ここでは具体的に限定しない。
【００９０】
インタフェースユニット４０８は、外部装置と端末４００を接続するインタフェースである。例えば、外部装置は、有線又は無線ヘッドフォンポート、外部電源（又は電池充電器）ポート、有線又は無線データポート、メモリカードポート、識別モジュールを備えた装置との接続用ポート、オーディオ入力／出力（Ｉ／Ｏ）ポート、ビデオＩ／Ｏポート、ヘッドフォンポートなどを含んでよい。インタフェースユニット４０８は、外部装置からの入力（例えば、データ情報、電力など）を受信すると共に、受信した入力を端末４００内の１つ以上の素子に伝送するか又は端末４００と外部装置との間にデータを伝送する。
【００９１】
メモリ４０９は、ソフトウェアプログラム及び様々なデータを記憶することができる。メモリ４０９は、主に、オペレーティングシステム、少なくとも１つの機能（例えば、音声再生機能、画像再生機能など）に必要なアプリケーションプログラムなどを記憶することができるプログラム記憶領域と、携帯電話の使用に応じて作成されたデータ（例えば、オーディオデータ、電話帳など）などを記憶することができるデータ記憶領域とを含んでよい。また、メモリ４０９は、高速ランダムアクセスメモリを含んでよもく、少なくとも１つの磁気ディスクメモリ素子、フラッシュメモリ素子又は他の揮発性固体メモリ素子などの不揮発性メモリを含んでもよい。
【００９２】
プロセッサ４１０は、端末の制御センターであり、様々なインタフェースと回線により端末全体の各部分に接続され、メモリ４０９に記憶されているソフトウェアプログラム及び／又はモジュールを動作させるか又は実行し、メモリ４０９に記憶されているデータを呼び出すことにより、端末の様々な機能とデータ処理を実行して、端末全体を監視する。プロセッサ４１０は、１つ以上の処理ユニットを含んでよく、選択的には、プロセッサ４１０は、主にオペレーティングシステム、ユーザインタフェース及びアプリケーションプログラムなどを処理するアプリケーションプロセッサと、主に無線通信を処理するモデムプロセッサとを集積することができる。上記モデムプロセッサは、プロセッサ４１０に集積されなくてもよいことを理解されたい。
【００９３】
端末４００は、各部品に給電する電源４１１（例えば、電池）をさらに含んでよく、選択的には、電源４１１は、電源管理システムによりプロセッサ４１０と論理的に接続されて、電源管理システムにより充電、放電の管理及び消費電力の管理などの機能を実現することができる。
【００９４】
また、端末４００は、いくつかの未図示の機能モジュールを含み、ここでは説明を省略する。
【００９５】
選択的には、本開示の実施例に係る端末は、プロセッサ４０１と、メモリ４０９と、メモリ４０９に記憶されて前記プロセッサ４１０上で実行可能で、プロセッサ４１０によって実行されると、上記ビーム失敗に対する設定方法の実施例の各プロセスを実現し、かつ同様な技術的効果を達成できるコンピュータプログラムとを含み、重複を避けるために、ここでは説明を省略する。
【００９６】
本開示の実施例に係るコンピュータ可読記憶媒体は、プロセッサによって実行されると、本開示の実施例に係るビーム失敗に対する設定方法の実施例の各プロセスを実現し、かつ同様な技術的効果を達成できるコンピュータプログラムが記憶されており、重複を避けるために、ここでは説明を省略する。前記コンピュータ可読記憶媒体は、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、ディスク又は光ディスクなどであってよい。
【００９７】
なお、本明細書において、用語「含む」、「含める」及びそれらの任意の変形は、非排他的に含むことをカバーするものであることにより、一連の要素を含むプロセス、方法、物品又は装置は、それらの要素を含むだけでなく、明確に例示されていない他の要素をさらに含むか、又はこれらのプロセス、方法、物品又は装置に固有する要素をさらに含む。より多くの限定がない場合に、語句「１つ…を含む」により限定された要素は、該要素を含むプロセス、方法、物品又は装置に別の同一の要素がさらに存在することを排除するものではない。
【００９８】
以上の実施形態の説明により、当業者が明確に理解できるように、上記実施例の方法は、ソフトウェアと必要な汎用ハードウェアプラットフォームを併用した方法で実現でき、当然のことながら、ハードウェアでも実現できるが、多くの場合に前者がより好ましい実施形態である。このような理解に基づいて、本開示の技術手段は、本質的又は従来技術に寄与する部分が、ソフトウェア製品の形態で具現化されてよく、該コンピュータソフトウェア製品は、記憶媒体（例えば、ＲＯＭ／ＲＡＭ、磁気ディスク、光ディスク）に記憶されており、一台の端末（携帯電話、コンピュータ、サーバ、エアコン又はネットワーク機器などであってもよい）に本開示の各実施例に記載の方法を実行させるための複数の命令を含む。
【００９９】
以上で図面を参照しながら本開示の実施例を説明したが、本開示は、上記具体的な実施形態に限定されるものではなく、上記具体的な実施形態は、制限的なものではなく、例示的なものに過ぎず、当業者であれば、本開示の示唆に基づき、本開示の趣旨及び特許請求の範囲の保護範囲から逸脱せずに多くの形式を行うことができ、これらは、いずれも本開示の保護範囲内に属する。
【図１】
2021520096.tif 000003
【図２】
2021520096.tif 000004
【図３】
2021520096.tif 000005
【図４】
2021520096.tif 000006
【手続補正書】
【提出日】令和2年9月29日(2020.9.29)
【手続補正１】
【補正対象書類名】特許請求の範囲
【補正対象項目名】全文
【補正方法】変更
【補正の内容】
【特許請求の範囲】
【請求項１】
端末に適用されるビーム失敗に対する設定方法であって、
セル、セルグループ又はキャリアグループの状態変化を通知するための通知シグナリングを受信することと、
前記セル、前記セルグループ又は前記キャリアグループの状態変化に基づいて、カウンタ及びタイマの少なくとも一方を設定し、及び／又は、前記セル、前記セルグループ又は前記キャリアグループの状態変化に基づいて、ビーム失敗回復プロセスで、特定の操作を停止することとを含み、
ここで、前記カウンタ及びタイマは、前記端末が前記セル、前記セルグループ内のセル、又は前記キャリアグループ内のセルに対して設定した、ビーム失敗を検出するカウンタ及びタイマである、ビーム失敗に対する設定方法。
【請求項２】
前記セルの状態変化は、前記セルがアクティブ化されたこと、前記セルが非アクティブ化されたこと、前記セルが再アクティブ化されたこと、又は前記セルが変換されたことを含み、
前記セルグループの状態変化は、前記セルグループがアクティブ化されたこと、前記セルグループが設定されたこと、前記セルグループが再設定されたこと、又は前記セルグループが変換されたことを含み、
前記キャリアグループの状態変化は、前記キャリアグループがアクティブ化されたこと、前記キャリアグループが非アクティブ化されたこと、前記キャリアグループが再アクティブ化されたこと、又は前記キャリアグループが変換されたことを含み、
ここで、前記セルは、ＳＣｅｌｌ（Ｓｅｃｏｎｄａｒｙ  Ｃｅｌｌ）及びプライマリセルの少なくとも一方を含み、前記セルグループは、ＳＣＧ（Ｓｅｃｏｎｄａｒｙ  Ｃｅｌｌ  Ｇｒｏｕｐ）及びＭＣＧ（Ｍａｓｔｅｒ  Ｃｅｌｌ  Ｇｒｏｕｐ）の少なくとも一方である、請求項１に記載の方法。
【請求項３】
前記端末は、前記ＳＣｅｌｌに対してカウンタ及びタイマを設定し、前記プライマリセルに対してカウンタ及びタイマを設定し、
前記カウンタ及びタイマの少なくとも一方を設定することは、
前記ＳＣｅｌｌがアクティブ化、非アクティブ化又は再アクティブ化されると、前記端末によって前記ＳＣｅｌｌに対して設定されたカウンタ及びタイマの少なくとも一方をリセットするか、又は前記端末によって前記ＳＣｅｌｌに対して設定されたカウンタ及びタイマの少なくとも一方を継続して動作させること、
前記プライマリセルが再設定又は変換されると、前記端末によって前記プライマリセルに対して設定されたカウンタ及びタイマの少なくとも一方をリセットするか、又は前記端末によって前記プライマリセルに対して設定されたカウンタ及びタイマの少なくとも一方を継続して動作させること、
前記プライマリセルが再設定又は変換されると、前記端末によって前記ＳＣｅｌｌに対して設定されたカウンタ及びタイマの少なくとも一方をリセットするか、又は前記端末によって前記ＳＣｅｌｌに対して設定されたカウンタ及びタイマの少なくとも一方を継続して動作させること、
前記ＳＣＧがアクティブ化、設定又は再設定されると、前記端末によって前記ＳＣＧ内の少なくとも１つのセルに対して設定されたカウンタ及びタイマの少なくとも一方をリセットするか、又は前記端末によって前記ＳＣＧ内の少なくとも１つのセルに対して設定されたカウンタ及びタイマの少なくとも一方を継続して動作させること、
前記ＭＣＧが再設定又は変換されると、前記端末によって前記ＭＣＧ内の少なくとも１つのセルに対して設定されたカウンタ及びタイマの少なくとも一方をリセットするか、又は前記端末によって前記ＭＣＧ内の少なくとも１つのセルに対して設定されたカウンタ及びタイマの少なくとも一方を継続して動作させること、及び
前記ＭＣＧが再設定又は変換されると、前記端末によって前記ＳＣＧ内の少なくとも１つのセルに対して設定されたカウンタ及びタイマの少なくとも一方をリセットするか、又は前記端末によって前記ＳＣＧ内の少なくとも１つのセルに対して設定されたカウンタ及びタイマの少なくとも一方を継続して動作させることのうちの少なくとも１つを含む、請求項２に記載の方法。
【請求項４】
前記端末は、前記ＳＣｅｌｌ及び前記プライマリセルに対して共通のカウンタ及びタイマを設定し、
前記カウンタ及びタイマの少なくとも一方を設定することは、
前記ＳＣｅｌｌがアクティブ化、非アクティブ化又は再アクティブ化されると、前記カウンタ及びタイマの少なくとも一方をリセットするか又は継続して動作させること、及び
前記プライマリセルが再設定又は変換されると、前記カウンタ及びタイマの少なくとも一方をリセットするか又は継続して動作させることのうちの少なくとも１つを含み、
或いは
前記ＳＣＧがアクティブ化、設定又は再設定されると、前記端末によって前記ＳＣＧ内の少なくとも１つのセルに対して設定されたカウンタ及びタイマの少なくとも一方をリセットし、及び／又は、前記端末によって前記ＳＣＧ内の少なくとも１つのセルに対して設定されたカウンタ及びタイマの少なくとも一方を継続して動作させること、及び
前記ＭＣＧが再設定又は変換されると、前記端末によって前記ＳＣＧ内の少なくとも１つのセルに対して設定されたカウンタ及びタイマの少なくとも一方をリセットし、及び／又は、前記端末によって前記ＳＣＧ内の少なくとも１つのセルに対して設定されたカウンタ及びタイマの少なくとも一方を継続して動作させることのうちの少なくとも１つを含む、請求項２に記載の方法。
【請求項５】
前記セルは、複数のＳＣｅｌｌを含み、前記端末は、前記複数のＳＣｅｌｌに対して共通のカウンタ及びタイマを設定し、
前記カウンタ及びタイマの少なくとも一方を設定することは、
前記複数のＳＣｅｌｌのうちの少なくとも１つのＳＣｅｌｌがアクティブ化、非アクティブ化又は再アクティブ化されると、前記カウンタ及びタイマの少なくとも一方をリセットするか又は継続して動作させること、
前記ＳＣＧがアクティブ化、設定又は再設定されると、前記端末によって前記ＳＣＧ内の少なくとも１つのセルに対して設定されたカウンタ及びタイマの少なくとも一方をリセットし、及び／又は、前記端末によって前記ＳＣＧ内の少なくとも１つのセルに対して設定されたカウンタ及びタイマの少なくとも一方を継続して動作させること、及び
前記ＭＣＧが再設定又は変換されると、前記端末によって前記ＳＣＧ内の少なくとも１つのセルに対して設定されたカウンタ及びタイマの少なくとも一方をリセットし、及び／又は、前記端末によって前記ＳＣＧ内の少なくとも１つのセルに対して設定されたカウンタ及びタイマの少なくとも一方を継続して動作させることのうちの少なくとも１つを含む、請求項２に記載の方法。
【請求項６】
前記特定の操作を停止することは、
前記ＳＣｅｌｌでスクランブルされたＰＤＣＣＨ（Ｐｈｙｓｉｃａｌ  Ｄｏｗｎｌｉｎｋ  Ｃｏｎｔｒｏｌ  Ｃｈａｎｎｅｌ）を傍受することを停止すること、
前記プライマリセルでスクランブルされたＰＤＣＣＨを傍受することを停止すること、及び
ビーム失敗回復のためのランダムアクセスプロセスを停止することのうちの少なくとも１つを含む、請求項２に記載の方法。
【請求項７】
前記ＳＣｅｌｌでスクランブルされたＰＤＣＣＨを傍受することを停止することは、
前記ビーム失敗回復プロセスが前記セルに含まれる複数のＳＣｅｌｌのうちの少なくとも１つのＳＣｅｌｌで行われると、１つ以上のＳＣｅｌｌでスクランブルされたＰＤＣＣＨを傍受することを停止することを含み、
前記ビーム失敗回復のためのランダムアクセスプロセスを停止することは、
前記ビーム失敗回復プロセスが前記ＳＣｅｌｌで行われると、前記ＳＣｅｌｌでのビーム失敗回復のためのランダムアクセスプロセスを停止すること、又は
前記ビーム失敗回復プロセスが前記プライマリセルで行われると、前記プライマリセルでのビーム失敗回復のためのランダムアクセスプロセスを停止すること、又は
前記ビーム失敗回復プロセスがそれぞれ前記ＳＣｅｌｌ及び前記プライマリセルで行われると、前記ＳＣｅｌｌ及び前記プライマリセルでのビーム失敗回復のためのランダムアクセスプロセスを停止することを含む、請求項６に記載の方法。
【請求項８】
前記ＳＣｅｌｌ及び前記プライマリセルでのビーム失敗回復のためのランダムアクセスプロセスを停止することは、
前記ＳＣｅｌｌでプリアンブルを送信することを停止すること、
前記プライマリセルでプリアンブルを送信することを停止すること、
前記ＳＣｅｌｌでランダムアクセスプロセスのメッセージｍｓｇ２を傍受することを停止すること、
前記プライマリセルでランダムアクセスプロセスのｍｓｇ２を傍受することを停止すること、
前記ＳＣｅｌｌでランダムアクセスプロセスのｍｓｇ３を送信することを停止すること、
前記プライマリセルでランダムアクセスプロセスのｍｓｇ３を送信することを停止すること、
前記ＳＣｅｌｌでランダムアクセスプロセスのｍｓｇ４を傍受することを停止すること、及び
前記プライマリセルでランダムアクセスプロセスのｍｓｇ４を傍受することを停止することのうちの少なくとも１つを含む、請求項７に記載の方法。
【請求項９】
前記ＳＣｅｌｌでスクランブルされたＰＤＣＣＨは、
前記ＳＣｅｌｌでＣ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ）によりスクランブルされたＰＤＣＣＨを含み、
前記プライマリセルでスクランブルされたＰＤＣＣＨは、
前記プライマリセルでＣ−ＲＮＴＩによりスクランブルされたＰＤＣＣＨを含む、請求項６に記載の方法。
【請求項１０】
前記プライマリセルは、ＰＣｅｌｌ（Ｐｒｉｍａｒｙ  Ｃｅｌｌ）、前記ＭＣＧ内のＰＣｅｌｌ、前記ＳＣＧ内のＰＳＣｅｌｌ（Ｐｒｉｍａｒｙ  Ｓｅｃｏｎｄａｒｙ  Ｃｅｌｌ）及びＳｐＣｅｌｌ（Ｓｐｅｃｉａｌ  Ｃｅｌｌ）のうちの少なくとも一方を含む、請求項２に記載の方法。
【請求項１１】
端末であって、
セル、セルグループ又はキャリアグループの状態変化を通知するための通知シグナリングを受信する受信モジュールと、
前記セル、前記セルグループ又は前記キャリアグループの状態変化に基づいて、カウンタ及びタイマの少なくとも一方を設定し、及び／又は、前記セル、前記セルグループ又は前記キャリアグループの状態変化に基づいて、ビーム失敗回復プロセスで、特定の操作を停止する処理モジュールとを含み、
ここで、前記カウンタ及びタイマは、前記端末が前記セル、前記セルグループ内のセル、又は前記キャリアグループ内のセルに対して設定した、ビーム失敗を検出するカウンタ及びタイマである、端末。
【請求項１２】
前記セルの状態変化は、前記セルがアクティブ化されたこと、前記セルが非アクティブ化されたこと、前記セルが再アクティブ化されたこと、又は前記セルが変換されたことを含み、
前記セルグループの状態変化は、前記セルグループがアクティブ化されたこと、前記セルグループが設定されたこと、前記セルグループが再設定されたこと、又は前記セルグループが変換されたことを含み、
前記キャリアグループの状態変化は、前記キャリアグループがアクティブ化されたこと、前記キャリアグループが非アクティブ化されたこと、前記キャリアグループが再アクティブ化されたこと、又は前記キャリアグループが変換されたことを含み、
前記セルは、ＳＣｅｌｌ及びプライマリセルの少なくとも一方を含み、前記セルグループは、ＳＣＧ及びＭＣＧの少なくとも一方である、請求項１１に記載の端末。
【請求項１３】
前記端末は、前記ＳＣｅｌｌに対してカウンタ及びタイマを設定し、前記プライマリセルに対してカウンタ及びタイマを設定し、
前記カウンタ及びタイマの少なくとも一方を設定することは、
前記ＳＣｅｌｌがアクティブ化、非アクティブ化又は再アクティブ化されると、前記端末によって前記ＳＣｅｌｌに対して設定されたカウンタ及びタイマの少なくとも一方をリセットするか、又は前記端末によって前記ＳＣｅｌｌに対して設定されたカウンタ及びタイマの少なくとも一方を継続して動作させること、
前記プライマリセルが再設定又は変換されると、前記端末によって前記プライマリセルに対して設定されたカウンタ及びタイマの少なくとも一方をリセットするか、又は前記端末によって前記プライマリセルに対して設定されたカウンタ及びタイマの少なくとも一方を継続して動作させること、
前記プライマリセルが再設定又は変換されると、前記端末によって前記ＳＣｅｌｌに対して設定されたカウンタ及びタイマの少なくとも一方をリセットするか、又は前記端末によって前記ＳＣｅｌｌに対して設定されたカウンタ及びタイマの少なくとも一方を継続して動作させること、
前記ＳＣＧがアクティブ化、設定又は再設定されると、前記端末によって前記ＳＣＧ内の少なくとも１つのセルに対して設定されたカウンタ及びタイマの少なくとも一方をリセットするか、又は前記端末によって前記ＳＣＧ内の少なくとも１つのセルに対して設定されたカウンタ及びタイマの少なくとも一方を継続して動作させること、
前記ＭＣＧが再設定又は変換されると、前記端末によって前記ＭＣＧ内の少なくとも１つのセルに対して設定されたカウンタ及びタイマの少なくとも一方をリセットするか、又は前記端末によって前記ＭＣＧ内の少なくとも１つのセルに対して設定されたカウンタ及びタイマの少なくとも一方を継続して動作させること、及び
前記ＭＣＧが再設定又は変換されると、前記端末によって前記ＳＣＧ内の少なくとも１つのセルに対して設定されたカウンタ及びタイマの少なくとも一方をリセットするか、又は前記端末によって前記ＳＣＧ内の少なくとも１つのセルに対して設定されたカウンタ及びタイマの少なくとも一方を継続して動作させることのうちの少なくとも１つを含み、
又は、
前記端末は、前記ＳＣｅｌｌ及び前記プライマリセルに対して共通のカウンタ及びタイマを設定し、
前記カウンタ及びタイマの少なくとも一方を設定することは、
前記ＳＣｅｌｌがアクティブ化、非アクティブ化又は再アクティブ化されると、前記カウンタ及びタイマの少なくとも一方をリセットするか又は継続して動作させること、及び
前記プライマリセルが再設定又は変換されると、前記カウンタ及びタイマの少なくとも一方をリセットするか又は継続して動作させることのうちの少なくとも１つを含み、
或いは
前記ＳＣＧがアクティブ化、設定又は再設定されると、前記端末によって前記ＳＣＧ内の少なくとも１つのセルに対して設定されたカウンタ及びタイマの少なくとも一方をリセットし、及び／又は、前記端末によって前記ＳＣＧ内の少なくとも１つのセルに対して設定されたカウンタ及びタイマの少なくとも一方を継続して動作させること、及び
前記ＭＣＧが再設定又は変換されると、前記端末によって前記ＳＣＧ内の少なくとも１つのセルに対して設定されたカウンタ及びタイマの少なくとも一方をリセットし、及び／又は、前記端末によって前記ＳＣＧ内の少なくとも１つのセルに対して設定されたカウンタ及びタイマの少なくとも一方を継続して動作させることのうちの少なくとも１つを含み、
又は、
前記セルは、複数のＳＣｅｌｌを含み、前記端末は、前記複数のＳＣｅｌｌに対して共通のカウンタ及びタイマを設定し、
前記カウンタ及びタイマの少なくとも一方を設定することは、
前記複数のＳＣｅｌｌのうちの少なくとも１つのＳＣｅｌｌがアクティブ化、非アクティブ化又は再アクティブ化されると、前記カウンタ及びタイマの少なくとも一方をリセットするか又は継続して動作させること、
前記ＳＣＧがアクティブ化、設定又は再設定されると、前記端末によって前記ＳＣＧ内の少なくとも１つのセルに対して設定されたカウンタ及びタイマの少なくとも一方をリセットし、及び／又は、前記端末によって前記ＳＣＧ内の少なくとも１つのセルに対して設定されたカウンタ及びタイマの少なくとも一方を継続して動作させること、及び
前記ＭＣＧが再設定又は変換されると、前記端末によって前記ＳＣＧ内の少なくとも１つのセルに対して設定されたカウンタ及びタイマの少なくとも一方をリセットし、及び／又は、前記端末によって前記ＳＣＧ内の少なくとも１つのセルに対して設定されたカウンタ及びタイマの少なくとも一方を継続して動作させることのうちの少なくとも１つを含む、請求項１２に記載の端末。
【請求項１４】
前記特定の操作を停止することは、
前記ＳＣｅｌｌでスクランブルされたＰＤＣＣＨを傍受することを停止すること、
前記プライマリセルでスクランブルされたＰＤＣＣＨを傍受することを停止すること、及び
ビーム失敗回復のためのランダムアクセスプロセスを停止することのうちの少なくとも１つを含む、請求項１２に記載の端末。
【請求項１５】
前記ＳＣｅｌｌでスクランブルされたＰＤＣＣＨを傍受することを停止することは、
前記ビーム失敗回復プロセスが前記セルに含まれる複数のＳＣｅｌｌのうちの少なくとも１つのＳＣｅｌｌで行われると、１つ以上のＳＣｅｌｌでスクランブルされたＰＤＣＣＨを傍受することを停止することを含み、
前記ビーム失敗回復のためのランダムアクセスプロセスを停止することは、
前記ビーム失敗回復プロセスが前記ＳＣｅｌｌで行われると、前記ＳＣｅｌｌでのビーム失敗回復のためのランダムアクセスプロセスを停止すること、又は
前記ビーム失敗回復プロセスが前記プライマリセルで行われると、前記プライマリセルでのビーム失敗回復のためのランダムアクセスプロセスを停止すること、又は
前記ビーム失敗回復プロセスがそれぞれ前記ＳＣｅｌｌ及び前記プライマリセルで行われると、前記ＳＣｅｌｌ及び前記プライマリセルでのビーム失敗回復のためのランダムアクセスプロセスを停止することを含み、
及び/又は、
前記ＳＣｅｌｌでスクランブルされたＰＤＣＣＨは、
前記ＳＣｅｌｌでＣ−ＲＮＴＩによりスクランブルされたＰＤＣＣＨを含み、
前記プライマリセルでスクランブルされたＰＤＣＣＨは、
前記プライマリセルでＣ−ＲＮＴＩによりスクランブルされたＰＤＣＣＨを含む、請求項１４に記載の端末。
【国際調査報告】
2021520096.tif 000007
2021520096.tif 000008
2021520096.tif 000009
2021520096.tif 000010